(57)【特許請求の範囲】
【請求項１】
複数のアミューズメント施設に設置されたクライアント端末と、それらアミューズメント施設に設置された各遊技機の実績情報を前記クライアント端末に提供するサーバ装置とから形成され、
前記サーバ装置が、各種複数の遊技機を配置した状態で示す各アミューズメント施設の図面を作成する図面作成手段と、各遊技機の実績を視覚によって判別し得るように前記図面に表示されたそれら遊技機を色分け表示する色分け表示手段と、色分けされたそれら遊技機を表示した前記図面をクライアント端末に送信する図面送信手段とを有し、前記クライアント端末が、前記サーバ装置から送信された図面を出力する図面出力手段を有し、
前記色分け表示手段では、前記遊技機の所定期間内の売上設定金額とそれら遊技機の実際の売上金額とを比較し、売上設定金額に対する売上金額の売上比率が該売上設定金額を基準として任意に設定される所定の売上設定比率を上回る遊技機と売上比率が前記売上設定比率を下回る遊技機との少なくとも２段階に区分した状態を視覚によって判別し得るように前記図面に表示されたそれら遊技機を色分けすることを特徴とする実績管理システム。
【請求項２】
前記色分け表示手段では、前記遊技機の所定期間内の売上設定金額とそれら遊技機の実際の売上金額とを比較し、前記設定金額に対する遊技機の売上金額の高低を視覚によって判別し得るように前記図面に表示されたそれら遊技機を色分けする請求項１記載の実績管理システム。
【請求項３】
前記クライアント端末が、前記遊技機の設定金額を変更する設定金額変更手段を含み、前記色分け表示手段では、前記クライアント端末によって前記設定金額が変更されたときに、変更された設定金額を基準としてそれら遊技機の色分けを随時変更する請求項２記載の実績管理システム。
【請求項４】
前記クライアント端末が、前記遊技機の前記売上設定比率を変更する売上設定比率変更手段を含み、前記色分け表示手段では、前記クライアント端末によって前記売上設定比率が変更されたときに、変更された売上設定比率を基準としてそれら遊技機の色分けを随時変更する請求項１ないし請求項３いずれかに記載の実績管理システム。
【請求項５】
前記色分け表示手段では、前記クライアント端末が前記図面において各遊技機を個別に選択したときに、選択された遊技機の所定期間内における設定金額、売上金額、達成率のうちの少なくとも該売上金額を前記図面に表示する請求項１ないし請求項４いずれかに記載の実績管理システム。
【請求項６】
前記色分け表示手段では、前記遊技機の当月売上金額と前月売上金額とを比較し、前月売上金額に対する当月売上金額の前月比率が該前月売上金額を基準として任意に設定される所定の前月設定比率を上回る遊技機と前月比率が前記前月設定比率を下回る遊技機との少なくとも２段階に区分した状態を視覚によって判別し得るように前記図面に表示されたそれら遊技機を色分けする請求項１ないし請求項５いずれかに記載の実績管理システム。
【請求項７】
前記クライアント端末が、前記遊技機の前記前月設定比率を変更する前月設定比率変更手段を含み、前記色分け表示手段では、前記クライアント端末によって前記前月設定比率が変更されたときに、変更された前月設定比率を基準としてそれら遊技機の色分けを随時変更する請求項６記載の実績管理システム。
【請求項８】
前記色分け表示手段では、前記クライアント端末が前記図面において各遊技機を個別に選択したときに、選択された遊技機の当月売上金額、前月売上金額、前月比を前記図面に表示する請求項６または請求項７に記載の実績管理システム。
【請求項９】
前記色分け表示手段では、前記遊技機の当月売上金額と前年同月売上金額とを比較し、前年同月売上に対する当月売上の前年同月比率が該前年同月売上を基準として任意に設定される所定の前年同月設定比率を上回る遊技機と前年同月比率が前記前年同月設定比率を下回る遊技機との少なくとも２段階に区分した状態を視覚によって判別し得るように前記図面に表示されたそれら遊技機を色分けする請求項１ないし請求項８いずれかに記載の実績管理システム。
【請求項１０】
前記クライアント端末が、前記遊技機の前記前年同月設定比率を変更する前年同月設定比率変更手段を含み、前記色分け表示手段では、前記クライアント端末によって前記前年同月設定比率が変更されたときに、変更された前年同月設定比率を基準としてそれら遊技機の色分けを随時変更する請求項９記載の実績管理システム。
【請求項１１】
前記色分け表示手段では、前記クライアント端末が前記図面において各遊技機を個別に選択したときに、選択された遊技機の当月売上金額、前年同月売上金額、前年同月比を前記図面に表示する請求項９または請求項１０に記載の実績管理システム。
【請求項１２】
前記色分け表示手段では、前記遊技機の当年の所定期間における売上金額と前年の所定期間における売上金額とを比較し、前年の所定期間における売上金額に対する当年の所定期間における売上金額の前年実績比率が前年の所定期間における売上金額を基準として任意に設定される所定の前年実績設定比率を上回る遊技機と前年実績比率が前記前年実績設定比率を下回る遊技機との少なくとも２段階に区分した状態を視覚によって判別し得るように前記図面に表示されたそれら遊技機を色分けする請求項１ないし請求項１１いずれかに記載の実績管理システム。
【請求項１３】
前記クライアント端末が、前記遊技機の前記前年実績設定比率を変更する前年実績設定比率変更手段を含み、前記色分け表示手段では、前記クライアント端末によって前記前年実績設定比率が変更されたときに、変更された前年実績設定比率を基準としてそれら遊技機の色分けを随時変更する請求項１２記載の実績管理システム。
【請求項１４】
前記色分け表示手段では、前記クライアント端末が前記図面において各遊技機を個別に選択したときに、選択された遊技機の当年の所定期間における売上金額、前年の所定期間における売上金額、前年実績比を前記図面に表示する請求項１２または請求項１３に記載の実績管理システム。
【発明の詳細な説明】
【技術分野】
【０００１】
本発明は、アミューズメント施設に設置された各遊技機の実績を管理する実績管理システムに関する。
【背景技術】
【０００２】
遊技機とその遊技機が使用する遊戯媒体の貸し出しを行う遊戯媒体貸出機とを複数設置して営業する遊技店の売上、収益を管理する売上管理システムがある（特許文献１参照）。売上管理システムは、遊戯媒体貸出機の売上データと獲得した遊技媒体を計数する計数機の計数データとを比較するデータ比較手段とデータの比較処理結果を第三者機関へ送信するデータ送信手段とを有する遊技店データ管理装置、遊技店から送信されたデータの比較処理結果を管理する第三者管理装置とから形成されている。この売上管理システムは、遊戯媒体貸出機や計数機における不正行為を検出し、それを第三者管理装置に送信するから、それら遊戯媒体貸出機や計数機における不正行為を未然に防ぐことができる。
【特許文献１】特開２００５−１９８９９８号公報
【発明の開示】
【発明が解決しようとする課題】
【０００３】
前記特許文献１に開示の売上管理システムは、遊技店に設置された各遊技機の実績を視覚を通じて個別に判別することができず、それら遊技機の実績の良否を判断することができない。ゆえに、遊技機の機種変更や遊技店における遊技機の配置変更を検討することができず、遊技店における遊技機の実績向上を図ることができない。
【０００４】
本発明の目的は、アミューズメント施設に設置された各遊技機の実績を視覚を通じて把握することができ、アミューズメント施設における遊技機の実績向上を図ることができる実績管理システムを提供することにある。
【課題を解決するための手段】
【０００５】
前記課題を解決するための本発明にかかる実績管理システムは、複数のアミューズメント施設に設置されたクライアント端末と、それらアミューズメント施設に設置された各遊技機の実績情報をクライアント端末に提供するサーバ装置とから形成され、サーバ装置が、遊技機の各種複数の遊技機を配置した状態で示す各アミューズメント施設の図面を作成する図面作成手段と、各遊技機の実績を視覚によって判別し得るように図面に表示されたそれら遊技機を色分け表示する色分け表示手段と、色分けされたそれら遊技機を表示した図面をクライアント端末に送信する図面送信手段とを有し、クライアント端末が、サーバ装置から送信された図面を出力する図面出力手段を有し、色分け表示手段では、遊技機の所定期間内の売上設定金額とそれら遊技機の実際の売上金額とを比較し、売上設定金額に対する売上金額の売上比率がその売上設定金額を基準として任意に設定される所定の売上設定比率を上回る遊技機と売上比率が売上設定比率を下回る遊技機との少なくとも２段階に区分した状態を視覚によって判別し得るように図面に表示されたそれら遊技機を色分けすることを特徴とする。
【０００６】
本発明にかかる実績管理システムの一例として、色分け表示手段では、遊技機の所定期間内の売上設定金額とそれら遊技機の実際の売上金額とを比較し、設定金額に対する遊技機の売上金額の高低を視覚によって判別し得るように図面に表示されたそれら遊技機を色分けする。
【０００７】
本発明にかかる実績管理システムの他の一例としては、クライアント端末が遊技機の設定金額を変更する設定金額変更手段を含み、色分け表示手段では、クライアント端末によって設定金額が変更されたときに、変更された設定金額を基準としてそれら遊技機の色分けを随時変更する。
【０００８】
本発明にかかる実績管理システムの他の一例としては、クライアント端末が遊技機の売上設定比率を変更する売上設定比率変更手段を含み、色分け表示手段では、クライアント端末によって売上設定比率が変更されたときに、変更された売上設定比率を基準としてそれら遊技機の色分けを随時変更する。
【０００９】
本発明にかかる実績管理システムの他の一例として、色分け表示手段では、クライアント端末が図面において各遊技機を個別に選択したときに、選択された遊技機の所定期間内における設定金額、売上金額、達成率のうちの少なくとも該売上金額を図面に表示する。
【００１０】
本発明にかかる実績管理システムの他の一例として、色分け表示手段では、遊技機の当月売上金額と前月売上金額とを比較し、前月売上金額に対する当月売上金額の前月比率が該前月売上金額を基準として任意に設定される所定の前月設定比率を上回る遊技機と前月比率が前月設定比率を下回る遊技機との少なくとも２段階に区分した状態を視覚によって判別し得るように図面に表示されたそれら遊技機を色分けする。
【００１１】
本発明にかかる実績管理システムの他の一例としては、クライアント端末が遊技機の前月設定比率を変更する前月設定比率変更手段を含み、色分け表示手段では、クライアント端末によって前月設定比率が変更されたときに、変更された前月設定比率を基準としてそれら遊技機の色分けを随時変更する。
【００１２】
本発明にかかる実績管理システムの他の一例として、色分け表示手段では、クライアント端末が図面において各遊技機を個別に選択したときに、選択された遊技機の当月売上金額、前月売上金額、前月比を図面に表示する。
【００１３】
本発明にかかる実績管理システムの他の一例として、色分け表示手段では、遊技機の当月売上金額と前年同月売上金額とを比較し、前年同月売上に対する当月売上の前年同月比率が該前年同月売上を基準として任意に設定される所定の前年同月設定比率を上回る遊技機と前年同月比率が前年同月設定比率を下回る遊技機との少なくとも２段階に区分した状態を視覚によって判別し得るように図面に表示されたそれら遊技機を色分けする。
【００１４】
本発明にかかる実績管理システムの他の一例としては、クライアント端末が遊技機の前年同月設定比率を変更する前年同月設定比率変更手段を含み、色分け表示手段では、クライアント端末によって前年同月設定比率が変更されたときに、変更された前年同月設定比率を基準としてそれら遊技機の色分けを随時変更する。
【００１５】
本発明にかかる実績管理システムの他の一例として、色分け表示手段では、クライアント端末が図面において各遊技機を個別に選択したときに、選択された遊技機の当月売上金額、前年同月売上金額、前年同月比を図面に表示する。
【００１６】
本発明にかかる実績管理システムの他の一例として、色分け表示手段では、遊技機の当年の所定期間における売上金額と前年の所定期間における売上金額とを比較し、前年の所定期間における売上金額に対する当年の所定期間における売上金額の前年実績比率が前年の所定期間における売上金額を基準として任意に設定される所定の前年実績設定比率を上回る遊技機と前年実績比率が前年実績設定比率を下回る遊技機との少なくとも２段階に区分した状態を視覚によって判別し得るように図面に表示されたそれら遊技機を色分けする。
【００１７】
本発明にかかる実績管理システムの他の一例としては、クライアント端末が遊技機の前年実績設定比率を変更する前年実績設定比率変更手段を含み、色分け表示手段では、クライアント端末によって前年実績設定比率が変更されたときに、変更された前年実績設定比率を基準としてそれら遊技機の色分けを随時変更する。
【００１８】
本発明にかかる実績管理システムの他の一例として、色分け表示手段では、クライアント端末が図面において各遊技機を個別に選択したときに、選択された遊技機の当年の所定期間における売上金額、前年の所定期間における売上金額、前年実績比を図面に表示する。
【発明の効果】
【００１９】
本発明にかかるに実績管理システムによれば、サーバ装置が各アミューズメント施設における遊技機の配置を示す図面を作成し、実績に応じて色分けされた遊技機を表示した図面をクライアント端末に送信するから、アミューズメント施設においてそこに設置された各遊技機の実績を視覚を通して確認することができ、所定のアミューズメント施設における各遊技機の成績を容易に把握することができる。実績管理システムは、図面に表示された各遊技機の色を参考に、アミューズメント施設における遊技機のレイアウトを検討しつつ、遊技機の機種変更や遊技機の配置変更を検討することができ、図面を利用してアミューズメント施設における遊技機の実績向上を図ることができる。
【００２０】
遊技機の所定期間内の売上設定金額とそれら遊技機の実際の売上金額とを比較し、設定金額に対する遊技機の売上金額の高低を視覚によって判別し得るように図面に表示されたそれら遊技機を色分けする実績管理システムは、アミューズメント施設においてそこに設置された各遊技機の設定売上に対する売上金額の高低を視覚を通して速やかに確認することができ、所定のアミューズメント施設における各遊技機の成績を容易に把握することができる。この実績管理システムは、図面を利用して遊技機の機種変更や遊技機の配置変更を検討することができ、アミューズメント施設における遊技機の売上金額の向上を図ることができる。
【００２１】
クライアント端末が遊技機の設定金額を変更する設定金額変更手段を含み、クライアント端末によって設定金額が変更されたときに、変更された設定金額を基準としてそれら遊技機の色分けを随時変更する実績管理システムは、アミューズメント施設毎に季節的要因や場所的要因、人員的要因、天候、物価、交通事情等の実績変動要素を考慮して遊技機の売上設定金額を変更しなければならない場合があったとしても、クライアント端末を介して設定金額を任意に増減することができるから、各アミューズメント施設の事情を勘案しつつそのアミューズメント施設において設定金額を自由に設定することができる。この実績管理システムは、設定金額を変更したときに、変更した設定金額を基準として遊技機の色が変更されるから、変更された設定金額に対する各遊技機の達成状況を視覚を通して容易に把握することができる。
【００２２】
遊技機の所定期間内の売上設定金額とそれら遊技機の実際の売上金額とを比較し、売上設定金額に対する売上金額の売上比率が売上設定金額を基準として任意に設定される所定の売上設定比率を上回る遊技機と売上比率が所定の売上設定比率を下回る遊技機との少なくとも２段階に区分した状態を視覚によって判別し得るように図面に表示されたそれら遊技機を色分けする実績管理システムは、アミューズメント施設においてそこに設置された各遊技機の設定売上金額に対する売上金額の達成状況を視覚を通して速やかに確認することができ、所定のアミューズメント施設における各遊技機の成績を容易に把握することができる。この実績管理システムは、図面を利用して遊技機の機種変更や遊技機の配置変更を検討することができ、アミューズメント施設における遊技機の売上金額の向上を図ることができる。
【００２３】
クライアント端末が遊技機の売上設定比率を変更する売上設定比率変更手段を含み、クライアント端末によって売上設定比率が変更されたときに、変更された売上設定比率を基準としてそれら遊技機の色分けを随時変更する実績管理システムは、アミューズメント施設毎に季節的要因や場所的要因、人員的要因、天候、物価、交通事情等の実績変動要素を考慮して遊技機の売上設定比率を変更しなければならない場合があったとしても、クライアント端末を介して売上設定比率を任意に増減することができるから、各アミューズメント施設の事情を勘案しつつそのアミューズメント施設において売上設定比率を自由に設定することができる。この実績管理システムは、売上設定比率を変更したときに、変更した売上設定比率を基準として遊技機の色が変更されるから、変更された売上設定比率に対する各遊技機の達成状況を視覚を通して容易に把握することができる。
【００２４】
クライアント端末が図面において各遊技機を個別に選択したときに、選択された遊技機の所定期間内における設定金額、遊技機の所定期間内における売上金額、達成率のうちの少なくとも売上金額を図面に表示する実績管理システムは、遊技機の所定期間内における設定金額、遊技機の所定期間内における売上金額、設定金額に対する売上金額の達成率が数値として示されるから、図面に表示された遊技機の色と数値とから各遊技機の成績を一層具体的に把握することができる。
【００２５】
遊技機の当月売上金額と前月売上金額とを比較し、前月売上に対する当月売上の前月比率が前月売上を基準として任意に設定される所定の前月設定比率を上回る遊技機と前月比率が所定の前月設定比率を下回る遊技機との少なくとも２段階に区分した状態を視覚によって判別し得るように図面に表示されたそれら遊技機を色分けする実績管理システムは、アミューズメント施設においてそこに設置された各遊技機の前月売上に対する当月売上の到達度を視覚を通して速やかに確認することができ、所定のアミューズメント施設における各遊技機の前月に対する成績を容易に把握することができる。この実績管理システムは、図面を利用して遊技機の機種変更や遊技機の配置変更を検討することができ、アミューズメント施設における遊技機の売上金額の向上を図ることができる。
【００２６】
クライアント端末が遊技機の前月設定比率を変更する前月設定比率変更手段を含み、クライアント端末によって前月設定比率が変更されたときに、変更された前月設定比率を基準としてそれら遊技機の色分けを随時変更する実績管理システムは、アミューズメント施設毎に季節的要因や場所的要因、人員的要因、天候、物価、交通事情等の実績変動要素を考慮して遊技機の前月設定比率を変更しなければならない場合があったとしても、クライアント端末を介して前月設定比率を任意に増減することができるから、各アミューズメント施設の事情を勘案しつつそのアミューズメント施設において前月設定比率を自由に設定することができる。この実績管理システムは、前月設定比率を変更したときに、変更した前月設定比率を基準として遊技機の色が変更されるから、変更された前月設定比率に対する各遊技機の達成状況を視覚を通して容易に把握することができる。
【００２７】
クライアント端末が前記図面において各遊技機を個別に選択したときに、選択された遊技機の当月売上金額、前月売上金額、前月比を図面に表示する実績管理システムは、アミューズメント施設に設置された遊技機個別の当月売上金額や前月売上金額、前月比が数値として示されるから、図面に表示された遊技機の色と数値とから各遊技機の成績を一層具体的に把握することができる。
【００２８】
遊技機の当月売上金額と前年同月売上金額とを比較し、前年同月売上に対する当月売上の前年同月比率が前年同月売上を基準として任意に設定される所定の前年同月設定比率を上回る遊技機と前年同月比率が所定の前年同月設定比率を下回る遊技機との少なくとも２段階に区分した状態を視覚によって判別し得るように図面に表示されたそれら遊技機を色分けする実績管理システムは、アミューズメント施設においてそこに設置された各遊技機の前年同月売上に対する当月売上の到達度を視覚を通して速やかに確認することができ、所定のアミューズメント施設における各遊技機の前年同月に対する成績を容易に把握することができる。この実績管理システムは、図面を利用して遊技機の機種変更や遊技機の配置変更を検討することができ、アミューズメント施設における遊技機の売上金額の向上を図ることができる。
【００２９】
クライアント端末が遊技機の前年同月設定比率を変更する前年同月設定比率変更手段を含み、クライアント端末によって前年同月設定比率が変更されたときに、変更された前年同月設定比率を基準としてそれら遊技機の色分けを随時変更する実績管理システムは、アミューズメント施設毎に季節的要因や場所的要因、人員的要因、天候、物価、交通事情等の実績変動要素を考慮して遊技機の前年同月設定比率を変更しなければならない場合があったとしても、クライアント端末を介して前年同月設定比率を任意に増減することができるから、各アミューズメント施設の事情を勘案しつつそのアミューズメント施設において前年同月設定比率を自由に設定することができる。この実績管理システムは、前年同月設定比率を変更したときに、変更した前年同月設定比率を基準として遊技機の色が変更されるから、変更された前年同月設定比率に対する各遊技機の達成状況を視覚を通して容易に把握することができる。
【００３０】
クライアント端末が図面において各遊技機を個別に選択したときに、選択された遊技機の当月売上金額、前年同月売上金額、前年同月比を図面に表示する実績管理システムは、アミューズメント施設に設置された遊技機個別の当月売上金額や前年同月売上金額、前年同月比が数値として示されるから、図面に表示された遊技機の色と数値とから各遊技機の成績を一層具体的に把握することができる。
【００３１】
遊技機の当年の所定期間における売上金額と前年の所定期間における売上金額とを比較し、前年の所定期間における売上金額に対する当年の所定期間における売上金額の前年実績比率が前年の所定期間における売上金額を基準として任意に設定される所定の前年実績設定比率を上回る遊技機と前年実績比率が所定の前年実績設定比率を下回る遊技機との少なくとも２段階に区分した状態を視覚によって判別し得るように図面に表示されたそれら遊技機を色分けする実績管理システムは、アミューズメント施設においてそこに設置された各遊技機の前年の所定期間における売上金額に対する当年売上の到達度を視覚を通して速やかに確認することができ、所定のアミューズメント施設における各遊技機の前年の所定期間に対する成績を容易に把握することができる。この実績管理システムは、図面を利用して遊技機の機種変更や遊技機の配置変更を検討することができ、アミューズメント施設における遊技機の売上金額の向上を図ることができる。
【００３２】
クライアント端末が遊技機の前年実績設定比率を変更する前年実績設定比率変更手段を含み、クライアント端末によって前年実績設定比率が変更されたときに、変更された前年実績設定比率を基準としてそれら遊技機の色分けを随時変更する実績管理システムは、アミューズメント施設毎に季節的要因や場所的要因、人員的要因、天候、物価、交通事情等の実績変動要素を考慮して遊技機の前年実績設定比率を変更しなければならない場合があったとしても、クライアント端末を介して前年実績設定比率を任意に増減することができるから、各アミューズメント施設の事情を勘案しつつそのアミューズメント施設において前年実績設定比率を自由に設定することができる。この実績管理システムは、前年実績設定比率を変更したときに、変更した前年実績設定比率を基準として遊技機の色が変更されるから、変更された前年実績設定比率に対する各遊技機の達成状況を視覚を通して容易に把握することができる。
【００３３】
クライアント端末が図面において各遊技機を個別に選択したときに、選択された遊技機の当年の所定期間における売上金額、前年の所定期間における売上金額、前年実績比を図面に表示する実績管理システムは、アミューズメント施設に設置された遊技機個別の当年の所定期間における売上金額や前年の所定期間における売上金額、前年実績比が数値として示されるから、図面に表示された遊技機の色と数値とから各遊技機の成績を一層具体的に把握することができる。
【発明を実施するための最良の形態】
【００３４】
添付の図面を参照し、本発明に係る実績管理システムの詳細を説明すると、以下のとおりである。図１は、一例として示す実績管理システム１０の構成図である。この実績管理システム１０は、アミューズメント施設１１，１２に設置されたクライアント端末１３，１４と、それらアミューズメント施設１１，１２に設置された各遊技機の実績情報をクライアント端末１３，１４に提供する実績管理サーバ１５（サーバ装置）とから形成されている。遊技機には、ビデオゲーム機、カードゲーム機、メダルゲーム機、プライズゲーム機、パチンコゲーム機、パチスロゲーム機、メダル貸出機等がある。
【００３５】
アミューズメント施設１１，１２には、各種複数の遊技機が設置された店舗のみならず、それら店舗を地域ごとに管理する支店、各支店を管理する本店等が含まれる。なお、図１では、アミューズメント施設１１，１２を２つ図示しているが、実際には３つ以上のアミューズメント施設が存在する。また、アミューズメント施設１１，１２において１つのクライアント端末１３，１４を図示しているが、実際には２つ以上のクライアント端末がアミューズメント施設１１，１２に設置されている。このシステム１０では、クライアント端末１３，１４や実績管理サーバ１５がインターネット１６を介してネットワークを形成している。
【００３６】
クライアント端末１３，１４は、アミューズメント施設１１，１２の店舗、支店、本店が保有管理している。クライアント端末１３、１４は、中央処理部（ＣＰＵまたはＭＰＵ）とメモリとを備えたコンピュータであり、ＤＮＳサーバ機能、データベースサーバ機能、Ｗｅｂサーバ機能を有する。それら端末１３，１４には、大容量ハードディスクが内蔵され、キーボードやマウス等の入力装置、ディスプレイ１７やプリンタ（図示せず）等の出力装置がインターフェイスを介して接続されている。それら端末１３，１４は、インターネット１６に接続可能であり、インターネット１６を利用することで、サーバ１５にアクセスかつログインすることができる。
【００３７】
クライアント端末１３，１４のメモリには、実績管理アプリケーション、ＤＮＳ（Domain  Name  System）アプリケーション、ＤＢＭＳ（Database  Management  System）アプリケーション等が格納されている。端末１３，１４のハードディスクには、遊技機毎の売上金額やサーバ１５から送信された間取図等を格納する店舗データファイルが作られている。クライアント端末１３，１４には、入力装置を介して各遊技機の１日の売上金額が入力されるとともに、所定期間における売上設定金額、売上設定比率、前月設定比率、前年同月設定比率、前年実績設定比率が入力される。クライアント端末１３，１４は、入力された売上金額に日付情報（年月日識別番号）と店舗情報（店舗識別番号）とを設定した後、その売上金額を店舗データファイルに格納する。また、入力された売上設定金額、売上設定比率、前月設定比率、前年同月設定比率、前年実績設定比率に日付情報（年月日識別番号）と店舗情報（店舗識別番号）とを設定した後、それらを店舗データファイルに格納する。
【００３８】
クライアント端末１３，１４の中央処理部は、オペレーティングシステムによる制御に基づいて、メモリに格納された実績管理アプリケーションを起動し、起動したアプリケーションに従って、以下の各手段を実行する。クライアント端末１３，１４の中央処理部は、各アミューズメント施設１１，１２に設置された遊技機の実際の売上金額を日単位や週単位、月単位に集計し、その売上金額をサーバ１５に送信する売上金額送信手段を実行し、遊技機の期間（日、月、年、月日、年月日）を指定した売上設定金額をサーバ１５に送信する売上設定金額送信手段を実行する。中央処理部は、遊技機の売上設定比率をサーバ１５に送信する売上設定比率送信手段を実行し、遊技機の前月設定比率をサーバ１５に送信する前月設定比率送信手段を実行する。中央処理部は、遊技機の前年同月設定比率をサーバ１５に送信する前年同月設定比率送信手段を実行し、遊技機の前年実績設定比率をサーバ１５に送信する前年実績設定比率送信手段を実行する。
【００３９】
クライアント端末１３，１４の中央処理部は、サーバ１５から送信された間取図を受信し、受信した間取図を店舗データファイルに格納する図面記憶手段を実行し、サーバ１５から受信した間取図をディスプレイ１７に表示し、その間取図をプリンタを介して出力する図面出力手段を実行する。中央処理部は、あらかじめ設定された遊技機の設定金額をあらたなそれに変更する設定金額変更手段を実行し、遊技機の売上設定比率を変更する売上設定比率変更手段を実行する。中央処理部は、遊技機の前月比率を変更する前月比率変更手段を実行し、遊技機の前年同月比率を変更する前年同月比率変更手段を実行する。さらに、前年実績比率を変更する前年実績比率変更手段を実行する。
【００４０】
実績管理サーバ１５は、このシステム１０を提供する事業者が保有管理している。サーバ１５は、中央処理部（ＣＰＵまたはＭＰＵ）とメモリとを備えたコンピュータであり、ＤＮＳ機能、データベース機能、Ｗｅｂ機能を有する。サーバ１５は、インターネット１６に接続可能であり、インターネット１６を利用することで、クライアント端末１３，１４のみならず、不特定多数のサーバにアクセスかつログインすることができる。サーバ１５には、図示はしていないが、大容量ハードディスクが内蔵され、キーボードやマウス等の入力装置、ディスプレイやプリンタ等の出力装置がインターフェイスを介して接続されている。
【００４１】
サーバ１５のメモリには、実績管理アプリケーション、ＤＮＳ（Domain  Name  System）アプリケーション、ＤＢＭＳ（Database  Management  System）アプリケーション等が格納されている。サーバ１５のハードディスクには、各アミューズメント施設１１，１２の店舗毎に区分された実績データファイルが作られている。実績データファイルには、各店舗における遊技機毎の売上金額が時系列に格納される。サーバ１５は、ＩＰアドレスとドメイン名との対応づけを行うとともに、記憶した各種情報をＨＴＭＬに変換した後、それら情報をクライアント端末１３，１４に送信し、それら情報をクライアント端末１３，１４において閲覧可能とする。
【００４２】
サーバ１５の中央処理部は、オペレーティングシステムによる制御に基づいて、メモリに格納された実績管理アプリケーションを起動し、起動したアプリケーションに従って、以下の各手段を実行する。サーバ１５の中央処理部は、各アミューズメント施設１１，１２に設置された遊技機の実際の売上金額をクライアント端末１３，１４から受信し、受信した遊技機の過去から現在までの売上金額を日付別（年月日）に区分するとともにアミューズメント施設１１，１２の各店舗別に区分して記憶する売上金額記憶手段を実行し、遊技機の所定期間内の売上設定金額をクライアント端末１３，１４から受信し、受信した売上設定金額をアミューズメント施設１１，１２の各店舗別に区分して記憶する売上設定金額記憶手段を実行する。中央処理部は、遊技機の売上設定比率をクライアント端末１３，１４から受信し、受信した売上設定比率をアミューズメント施設１１，１２の各店舗別に区分して記憶する売上設定比率記憶手段を実行し、遊技機の前年設定比率をクライアント端末１３，１４から受信し、受信した前年設定比率をアミューズメント施設１１，１２の各店舗別に区分して記憶する前年設定比率記憶手段を実行する。
【００４３】
サーバ１５の中央処理部は、遊技機の前年同月設定比率をクライアント端末１３，１４から受信し、受信した前年同月設定比率をアミューズメント施設１１，１２の各店舗別に区分して記憶する前年同月設定比率記憶手段を実行し、遊技機の前年実績設定比率をクライアント端末１３，１４から受信し、受信した前年実績設定比率をアミューズメント施設１１，１２の各店舗別に区分して記憶する前年実績設定比率記憶手段を実行する。中央処理部は、各種複数の遊技機（遊技機の外観を平面的に表した遊技機図面）を配置した状態で示す各店舗の間取図（図面）を作成する図面作成手段を実行する。なお、図面作成手段では、間取図のみならず、遊技機を配置した状態で示す各店舗の立体図（図面）や部分配置図（図面）、見取図等を作成することもできる。
【００４４】
サーバ１５の中央処理部は、遊技機の所定期間内の売上設定金額と所定期間内の実際の売上金額とを比較し、設定金額に対する売上金額の高低を視覚によって判別し得るように間取図に表示されたそれら遊技機を色分けする色分け第１表示手段（色分け表示手段）を実行する。色分け第１表示手段では、クライアント端末１３，１４が後記する間取図画面において売上設定金額を変更したときに、変更された設定金額に対する売上金額の高低を視覚によって判別し得るように遊技機の色分けを随時変更する。色分け第１表示手段では、クライアント端末１３，１４が間取図画面において各遊技機を個別に選択したときに、選択された遊技機の指定期間（所定期間）、遊技機の指定期間内の稼動日数、遊技機の指定期間内における設定金額、遊技機の指定期間内における売上金額、遊技機の平均売上を図表として間取図に表示する。
【００４５】
サーバ１５の中央処理部は、遊技機の所定期間内の売上設定金額とそれら遊技機の実際の売上金額とを比較し、売上設定金額に対する売上金額の売上比率が売上設定金額を基準として任意に設定された所定の売上設定比率を上回る遊技機と売上比率が所定の売上設定比率を下回る遊技機との少なくとも２段階に区分した状態を視覚によって判別し得るように間取図に表示されたそれら遊技機を色分けする色分け第２表示手段（色分け表示手段）を実行する。色分け第２表示手段では、クライアント端末１３，１４が間取図画面において売上設定比率を変更したときに、売上比率が変更後の売上設定比率を上回る遊技機と売上比率が変更後の売上設定比率を下回る遊技機とを視覚によって判別し得るように間取図に表示されたそれら遊技機の色分けを随時変更する。色分け第２手段では、クライアント端末１３，１４が間取図画面において各遊技機を個別に選択したときに、選択された遊技機の指定期間（所定期間）、遊技機の指定期間内の設定金額、遊技機の指定期間内の売上金額、遊技機の指定期間内の稼動日数、遊技機の平均売上、設定金額に対する売上金額の達成率を図表として間取図に表示する。
【００４６】
サーバ１５の中央処理部は、遊技機の当月売上金額と前月売上金額とを比較し、前月売上に対する当月売上の前月比率が前月売上を基準として任意に設定された所定の前月設定比率を上回る遊技機と前月比率が所定の前月設定比率を下回る遊技機との少なくとも２段階に区分した状態を視覚によって判別し得るように間取図に表示されたそれら遊技機を色分けする色分け第３表示手段（色分け表示手段）を実行する。色分け第３表示手段では、クライアント端末１３，１４が間取図画面において前月設定比率を変更したときに、前月比率が変更後の前月設定比率を上回る遊技機と前月比率が変更後の前月設定比率を下回る遊技機とを視覚によって判別し得るように間取図に表示されたそれら遊技機の色分けを随時変更する。色分け第３手段では、クライアント端末１３，１４が間取図画面において各遊技機を個別に選択したときに、遊技機の当月の売上金額、遊技機の当月の稼動日数、遊技機の前月の売上金額、遊技機の前月の稼動日数、前月比を図表として間取図に表示する。
【００４７】
サーバ１５の中央処理部は、遊技機の当月売上金額と前年同月売上金額とを比較し、前年同月売上に対する当月売上の前年同月比率が前年同月売上を基準として任意に設定された所定の前年同月設定比率を上回る遊技機と前年同月比率が所定の前年同月設定比率を下回る遊技機との少なくとも２段階に区分した状態を視覚によって判別し得るように間取図に表示されたそれら遊技機を色分けする色分け第４表示手段（色分け表示手段）を実行する。色分け第４表示手段では、クライアント端末１３，１４が間取図画面において前年同月設定比率を変更したときに、前年同月比率が変更後の前年同月設定比率を上回る遊技機と前年同月比率が変更後の前年同月設定比率を下回る遊技機とを視覚によって判別し得るように間取図に表示されたそれら遊技機の色分けを随時変更する。色分け第４手段では、クライアント端末１３，１４が間取図画面において各遊技機を個別に選択したときに、遊技機の当月における売上金額、遊技機の当月の稼動日数、遊技機の前年同月における売上金額、遊技機の前年同月の稼動日数、前年同月比を図表として間取図に表示する。
【００４８】
サーバ１５の中央処理部は、遊技機の当年の所定期間における売上金額と前年の所定期間における売上金額とを比較し、前年の所定期間における売上金額に対する当年の所定期間における売上金額の前年実績比率が前年の所定期間における売上金額を基準として任意に設定された所定の前年実績設定比率を上回る遊技機と前年実績比率が所定の前年実績設定比率を下回る遊技機との少なくとも２段階に区分した状態を視覚によって判別し得るように間取図に表示されたそれら遊技機を色分けする色分け第５表示手段（色分け表示手段）を実行する。色分け第５表示手段では、クライアント端末１３，１４が間取図画面において前年実績設定比率を変更したときに、前年実績比率が変更後の前年実績設定比率を上回る遊技機と前年実績比率が変更後の前年実績設定比率を下回る遊技機とを視覚によって判別し得るように間取図に表示されたそれら遊技機の色分けを随時変更する。色分け第５手段では、クライアント端末１３，１４が間取図画面において各遊技機を個別に選択したときに、選択された遊技機の指定期間（所定期間）、遊技機の指定期間における当年の売上金額、遊技機の指定期間における当年の稼動日数、遊技機の指定期間における前年の売上金額、遊技機の指定期間における前年の稼動日数、前年実績比を図表として間取図に表示する。中央処理部は、第１〜第５色分け手段によって色分けしたそれら遊技機を表示した間取図をクライアント端末１３，１４に送信する図面送信手段を実行する。
【００４９】
図２は、クライアント端末１３，１４のディスプレイ１７に表示された間取図画面の一例を示す図であり、図３は、ディスプレイ１７に表示された間取図画面の他の一例を示す図である。図４は、選択された遊技機Ｍ１〜Ｍ１０の個別実績図表が表示された間取図画面の図である。図２〜図４の間取図画面には、色分け第１表示手段によって色分けされた遊技機Ｍ１〜Ｍ１０が表示されている。なお、アミューズメント施設１１，１２の各店舗では、営業時間が終了した後、その店舗における各遊技機毎の売上金額を集計する。集計された日毎の売上金額は、インターネット１６を介してクライアント端末１３，１４からサーバ１５に送信される。
【００５０】
サーバ１５の実績データファイルには、各店舗や支店、本店を区分する施設情報（施設識別番号）が格納され、各店舗に設置された遊技機Ｍ１〜Ｍ１０を識別する遊技機情報（遊技機識別番号）が格納され、さらに、各店舗に設置された遊技機Ｍ１〜Ｍ１０の過去から現在までの売上金額が格納されている（売上金額記憶手段）。また、所定期間（指定期間）および各店舗の遊技機Ｍ１〜Ｍ１０の所定期間（指定期間）における売上設定金額が格納されている（売上設定金額記憶手段）。売上金額は、日付情報によって日付別に区分され、店舗情報によって各店舗毎に区分されているとともに、遊技機情報によって各遊技機Ｍ１〜Ｍ１０毎に区分されている。売上設定金額は、日付情報によって所定期間に区分されているとともに、店舗情報によって各店舗毎に区分されている。所定期間は、クライアント端末１３，１４を介して所定の日、日〜日、月〜月等自由に設定することができ、その期間に合わせて売上設定金額を自由に設定することができる。
【００５１】
クライアント端末１３，１４を起動させた後、それら端末１３，１４をインターネット１６に接続し、インターネット１６を介してそれら端末１３，１４を実績管理サーバ１５にログインさせる。サーバ１５は、クライアント端末１３，１４のログイン時に所定の認証手続を要求する。認証では、それら端末１３，１４に実績管理アプリケーションを利用させる正当性があるかを判断する。認証方式は、パスワード認証であるが、パスワード認証の他に、指紋認証や声紋認証、網膜認証、ＩＣカード認証を行うこともできる。なお、パスワード認証としては、ワンタイムパスワードを採用することもできる。
【００５２】
クライアント端末１３，１４をインターネット１６に接続した後、サーバ１５のＵＲＬを利用してサーバ１５にアクセスする。サーバ１５は、それら端末１３，１４のディスプレイ１７に認証画面（図示せず）を表示させる。認証画面には、ユーザ名の入力エリアとパスワードの入力エリアとが表示される。アミューズメント施設１１，１２は、それら入力エリアにユーザ名とパスワードとを入力した後、ログインボタンを押す。サーバ１５は、入力されたユーザ名およびパスワードをメモリに格納されたそれらと比較し、ユーザ名およびパスワードの正誤を判断する。ユーザ名およびパスワードが正しく認証結果が可である場合、サーバ１５は、クライアント端末１３，１４のサーバ１５へのログインを許可する。ユーザ名やパスワードが誤っていて認証結果が不可である場合、サーバ１５は、それら端末１３，１４のディスプレイ１７にユーザ名やパスワードの誤りメッセージを表示するとともに、サーバ１５へのログイン不可メッセージを表示する。
【００５３】
クライアント端末１３，１４がサーバ１５にログインすると、サーバ１５は、それら端末１３，１４のディスプレイ１７に初期画面（図示せず）を表示させる。初期画面には、実績表示ボタン、ログアウトボタンが表示される。初期画面から実績表示ボタンを押すと、ディスプレイ１７には、対象店舗入力エリアおよび対象店舗のプルダウンリスト、実行ボタン、キャンセルボタンが表示される。対象店舗入力エリアに対象店舗名を入力または対象店舗のプルダウンリストから対象店舗を選択し、実行ボタンを押すと、ディスプレイ１７には、売上金額参照ボタン、売上比率参照ボタン、前月比率参照ボタン、前年同月比率参照ボタン、前年実績比率参照ボタンが表示される。売上金額参照ボタンを押すと、サーバ１７は、選択された店舗における遊技機Ｍ１〜Ｍ１０の所定期間内の売上設定金額とそれら遊技機Ｍ１〜Ｍ１０の実際の売上金額とを比較し、設定金額に対する売上金額の高低を視覚によって判別し得るように間取図に表示されたそれら遊技機Ｍ１〜Ｍ１０を色分けする（色分け第１表示手段）。サーバ１５は、遊技機Ｍ１〜Ｍ１０を色分けした後、それら遊技機Ｍ１〜Ｍ１０を表示した間取図をクライアント端末１３，１４に送信する（図面送信手段）。
【００５４】
クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。図２の間取図画面には、店舗，日付表示エリア３０、フロア階表示エリア３１、設定表示エリア３２、色選択ボタン３３、期間設定ボタン３４、間取図表示エリア３５が表示されている。店舗，日付表示エリア３０には、選択した店舗名と日付とが表示されている。フロア階表示エリア３１には、フロア階（１階）が表示されている。なお、フロア階表示エリア３１のプルダウンリストから希望の階層を選択することができる。
【００５５】
設定表示エリア３２には、４つのバー３６，３７，３８，３９によって３段階に区分された売上設定金額（千円）が表示されている。最上に位置する第１バー３６は設定金額の最高額である第１設定金額を示す。第１バー３６の上には、そのバー３６が示す設定金額（千円）が表示されている。第１バー３６の直下に延びる第２バー３７は、最高額の次点の第２設定金額を示す。第２バー３７の上には、そのバー３７が示す設定金額（千円）が表示されている。第２バー３７の直下に延びる第３バー３８は、第２金額の次点の第３設定金額を示す。第３バー３８の上には、そのバー３８が示す設定金額（千円）が表示されている。最下に位置する第４バー３９は、設定金額の最低額である第４設定金額（０千円）を示す。第４バー３９の上には、そのバー３９が示す設定金額（千円）が表示されている。
【００５６】
第１バー３６と第２バー３７との間には第１スペース４０が画成され、第２バー３７と第３バー３８との間には第２スペース４１が画成されている。第３バー３８と第４バー３９との間には第３スペース４２が画成されている。第１スペース４０は、無彩色のうちの薄い灰色に着色されている。第１スペース４０の中には、店舗に設置された遊技機のうち、第２バー３７が示す設定金額よりも多く、第１バー３６が示す設定金額よりも少ない売上金額を計上した遊技機の台数が表示されている。第２スペース４１は、無彩色のうちの第１スペース４０よりもわずかに濃い灰色に着色されている。第２スペース４１の中には、店舗に設置された遊技機のうち、第３バー３８が示す設定金額よりも多く、第２バー３７が示す設定金額よりも少ない売上金額を計上した遊技機の台数が表示されている。第３スペース４２は、無彩色のうちの第２スペース４１よりもわずかに濃い灰色に着色されている。第３スペース４２の中には、店舗に設置された遊技機のうち、第４バー３９が示す設定金額よりも多く、第３バー３８が示す設定金額よりも少ない売上金額を計上した遊技機の台数が表示されている。
【００５７】
それらスペース４０，４１，４２では、第１スペース４０の着色が１番薄く、第３スペース４２に向かって着色が次第に濃くなっている。なお、設定表示エリア３２に表示されるバーを第１〜第４バー３６，３７，３８，３９に限定するものではなく、バーの本数を自由に設定することができる。たとえば、バーの本数を３本にすると、第１バーと第２バーとの間に第１スペースが画成され、第２バーと第３バーとの間に第２スペースが画成される。第１スペースの中には、第２バーが示す設定金額よりも多く、第１バーが示す設定金額よりも少ない売上金額を計上した遊技機の台数が表示され、第２スペースの中には、第３バーが示す設定金額よりも多く、第２バーが示す設定金額よりも少ない売上金額を計上した遊技機の台数が表示される。
【００５８】
また、バーの本数を５本にすると、第１バーと第２バーとの間に第１スペースが画成され、第２バーと第３バーとの間に第２スペースが画成される。第３バーと第４バーとの間に第３スペースが画成され、第４バーと第５バーとの間に第４スペースが画成される。第１スペースの中には、第２バーが示す設定金額よりも多く、第１バーが示す設定金額よりも少ない売上金額を計上した遊技機の台数が表示され、第２スペースの中には、第３バーが示す設定金額よりも多く、第２バーが示す設定金額よりも少ない売上金額を計上した遊技機の台数が表示される。第３スペースの中には、第４バーが示す設定金額よりも多く、第３バーが示す設定金額よりも少ない売上金額を計上した遊技機の台数が表示され、第４スペースの中には、第５バーが示す設定金額よりも多く、第４バーが示す設定金額よりも少ない売上金額を計上した遊技機の台数が表示される。バーの本数を増加させることで、設定金額を細分化することができ、遊技機Ｍ１〜Ｍ１０の実績を細かく管理することができる。
【００５９】
間取図表示エリア３５には、店舗の１階フロアに設置された各遊技機Ｍ１〜Ｍ１０が表示されている。それら遊技機Ｍ１〜Ｍ１０は、設定表示エリア３２に表示された設定金額に対する実際の売上金額によって異なる色に着色されている。具体的には、第１スペース４０に入る遊技機（第２バー３７が示す設定金額よりも多く、第１バー３６が示す設定金額よりも少ない売上金額の遊技機）が第１スペース４０の色と同一の色に着色され、第２スペース４１に入る遊技機（第３バー３８が示す設定金額よりも多く、第２バー３７が示す設定金額よりも少ない売上金額の遊技機）が第２スペース４１の色と同一の色に着色され、第３スペース４２に入る遊技機（第４バー３９が示す設定金額よりも多く、第３バー３８が示す設定金額よりも少ない売上金額の遊技機）が第３スペース４２の色と同一の色に着色されている。
【００６０】
色選択ボタン３３を押すと、図示はしていないが、ディスプレイ１７には、第１〜第３スペース４０，４１，４２の色設定画面が表示される。設定画面には、スペース選択エリア、色のプルダウンリスト、実行ボタン、キャンセルボタンが表示される。スペース選択エリアにおいて第１〜第３スペース４０，４１，４２のいずれかを選択しつつ、プルダウンリストから希望の色を選択し、実行ボタンを押すと、色変更要求がクライアント端末１３，１４からサーバ１５に送信される。サーバ１５は、選択されたスペースを選択された色に変えるとともに、それに合わせて遊技機Ｍ１〜Ｍ１０の色を変える。クライアント端末１３，１４のディスプレイ１７では、選択したスペースが選択した色に変わるとともに、それに合わせて遊技機Ｍ１〜Ｍ１０の色が選択した色に変わる。
【００６１】
期間設定ボタン３４を押すと、図示はしていないが、ディスプレイ１７には、期間入力エリア、実行ボタン、キャンセルボタンが表示される。期間入力エリアに所定の期間（日、日〜日、月日〜月日）を入力し、実行ボタンを押すと、指定された期間がクライアント端末１３，１４からサーバ１５に送信される。サーバ１５は、指定された期間における遊技機Ｍ１〜Ｍ１０の売上金額を集計し、集計した売上金額と売上設定金額とを比較し、設定金額に対する売上金額の高低を視覚によって判別し得るように間取図に表示されたそれら遊技機Ｍ１〜Ｍ１０を色分けする（色分け第１表示手段）。サーバ１５は、遊技機Ｍ１〜Ｍ１０を色分けした後、それら遊技機Ｍ１〜Ｍ１０を表示した間取図をクライアント端末１３，１４に送信する（図面送信手段）。クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。
【００６２】
図２の間取図画面の設定表示エリア３２において、第１〜第４バー３６，３７，２８，２９に接続された第１〜第４移動ボタン４３，４４，４５，４６を上下に移動させることで、第１〜第４バー３６，３７，２８，２９のいずれかを上下に移動させることができる。第１〜第４バー３６，３７，２８，２９を上下に移動させることで、それらバー３６，３７，２８，２９によって示された各売上設定金額を変更することができる。図３では、図２の設定表示エリア３２に表示されたバー３６，３７，２８，２９と比較し、第２バー３７が下方に移動し、第３バー３８が上方に移動している。それによって、第１スペース４０が広がり、第２スペース４１が狭くなるとともに、第３スペース４２が広がる。
【００６３】
それらバー３７，３８の位置が変わると、サーバ１５は、第２バー３７が示す第２設定金額と遊技機Ｍ１〜Ｍ１０の売上金額とを比較し、変更された第２設定金額を基準としてそれら遊技機Ｍ１〜Ｍ１０の色分けを随時変更するとともに、第３バー３６が示す第３設定金額と遊技機Ｍ１〜Ｍ１０の売上金額とを比較し、変更された第３設定金額を基準としてそれら遊技機Ｍ１〜Ｍ１０の色分けを随時変更する（色分け第１表示手段）。
【００６４】
具体的には、第２バー３７が示す第２設定金額と遊技機Ｍ１〜Ｍ１０の売上金額とを比較し、店舗に設置された遊技機Ｍ１〜Ｍ１０のうち、第１スペース４０に入る遊技機（第２バー３７が示す設定金額よりも多く、第１バー３６が示す設定金額よりも少ない売上金額を上げた遊技機）を選択した後、その遊技機を第１スペース４０の色と同一の色に着色する。また、第２バー３７が示す第２設定金額と遊技機Ｍ１〜Ｍ１０の売上金額とを比較しつつ、第３バー３８が示す第３設定金額と遊技機Ｍ１〜Ｍ１０の売上金額とを比較し、第２スペース４１に入る遊技機（第３バー３８が示す設定金額よりも多く、第２バー３７が示す設定金額よりも少ない売上金額を上げた遊技機）を選択した後、その遊技機を第２スペース４１の色と同一の色に着色する。さらに、第３バー３８が示す第３設定金額と遊技機Ｍ１〜Ｍ１０の売上金額とを比較し、第３スペース４２に入る遊技機（第４バー３９が示す設定金額よりも多く、第３バー３８が示す設定金額よりも少ない売上金額を上げた遊技機）を選択した後、その遊技機を第３スペース４２の色と同一の色に着色する。
【００６５】
サーバ１５は、遊技機Ｍ１〜Ｍ１０の色を変更した後、それら遊技機Ｍ１〜Ｍ１０を表示した間取図をクライアント端末１３，１４に送信する（図面送信手段）。クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。
【００６６】
図２または図３の間取図画面の間取図表示エリア３５から、所定の遊技機Ｍ１０（一点鎖線で囲まれた遊技機）を選択すると、その遊技機Ｍ１０の識別情報（遊技機識別番号）がクライアント端末１３，１４からサーバ１５に送信される。サーバ１５は、特定の遊技機の識別情報を受信すると、その識別情報の遊技機Ｍ１０の個別情報（指定期間、稼動日数、設定金額、売上金額、平均売上金額）を抽出し、その個別情報をクライアント端末１３，１４に送信する。ディスプレイ１７の間取図表示エリア３５には、図４に示すように、選択した遊技機Ｍ１０の指定期間（日）、指定期間における遊技機Ｍ１０の稼動日数（日）、設定金額（千円）、指定期間における遊技機Ｍ１０の売上金額（千円）、遊技機Ｍ１０の平均売上金額（千円）が図表４７として表示される。
【００６７】
実績管理システム１０は、遊技機Ｍ１〜Ｍ１０の指定期間内の売上設定金額とそれら遊技機Ｍ１〜Ｍ１０の実際の売上金額とを比較し、設定金額に対する遊技機Ｍ１〜Ｍ１０の売上金額の高低を視覚によって判別し得るように間取図表示エリア３５に表示されたそれら遊技機Ｍ１〜Ｍ１０を色分けするから、アミューズメント施設１１，１２においてそこに設置された各遊技機Ｍ１〜Ｍ１０の売上設定金額に対する売上金額の高低を視覚を通して速やかに確認することができ、所定のアミューズメント施設１１，１２における各遊技機Ｍ１〜Ｍ１０の成績を容易に把握することができる。実績管理システム１０は、間取図表示エリア３５に表示された各遊技機Ｍ１〜Ｍ１０の色（設定金額に対する売上金額の高低）を参考に、アミューズメント施設１１，１２における遊技機Ｍ１〜Ｍ１０のレイアウトを検討しつつ、遊技機Ｍ１〜Ｍ１０の機種変更や遊技機Ｍ１〜Ｍ１０の配置変更を検討することができ、間取図画面を利用してアミューズメント施設１１，１２における遊技機Ｍ１〜Ｍ１０の実績向上を図ることができる。
【００６８】
実績管理システム１０は、クライアント端末１３，１４によって設定金額が変更されたときに、変更された設定金額を基準としてそれら遊技機Ｍ１〜Ｍ１０の色分けを随時変更するから、アミューズメント施設１１，１２毎に季節的要因や場所的要因、人員的要因、天候、物価、交通事情等の実績変動要素を考慮して遊技機Ｍ１〜Ｍ１０の売上設定金額を変更しなければならない場合があったとしても、クライアント端末１３，１４を介して設定金額を任意に増減することができ、各アミューズメント施設１１，１２の事情を勘案しつつそのアミューズメント施設１１，１２において設定金額を自由に設定することができる。実績管理システム１０は、設定金額を変更したときに、変更した設定金額を基準として遊技機Ｍ１〜Ｍ１０の色が変更されるから、変更された設定金額に対する各遊技機Ｍ１〜Ｍ１０の達成状況を視覚を通して容易に把握することができる。
【００６９】
実績管理システム１０は、クライアント端末１３，１４が間取図表示エリア３５において各遊技機Ｍ１〜Ｍ１０を個別に選択したときに、選択された遊技機Ｍ１〜Ｍ１０の指定期間内における稼動日数、遊技機の指定期間内における設定金額、遊技機の指定期間内における売上金額、遊技機の指定期間内における平均売上金額を数値として間取図表示エリア３５に表示するから、間取図表示エリア３５に表示された遊技機Ｍ１〜Ｍ１０の色と数値とから各遊技機Ｍ１〜Ｍ１０の成績を一層具体的に把握することができる。
【００７０】
図５，６は、ディスプレイ１７に表示された間取図画面の他の一例を示す図であり、図７は、遊技機Ｍ１〜Ｍ１０の個別実績図表が表示された間取図画面の図である。図５〜図７の間取図画面には、色分け第２表示手段によって色分けされた遊技機Ｍ１〜Ｍ１０が表示されている。売上金額の集計や送信、格納は図２，３において説明したそれらと同一である。サーバ１５の実績データファイルには、施設情報（施設識別番号）や遊技機情報（遊技機識別番号）、遊技機Ｍ１〜Ｍ１０の過去から現在までの売上金額の他に、各店舗における遊技機Ｍ１〜Ｍ１０の売上設定比率が格納されている（売上設定比率記憶手段）。売上設定比率は、店舗情報によって各店舗毎に区分されている。売上設定比率は、クライアント端末１３，１４を介して自由に設定することができる。クライアント端末１３，１４の起動時における認証手続きは図２，３において説明したそれと同一である。なお、クライアント端末１３，１４では、初期画面から実績表示ボタンが選択され、さらに、対象店舗のプルダウンリストから対象店舗を選択され、対象店舗の選択が終了しているものとする。
【００７１】
ディスプレイ１７に表示された売上金額参照ボタン、売上比率参照ボタン、前月比率参照ボタン、前年同月比率参照ボタン、前年実績比率参照ボタンのうち、売上比率参照ボタンを押すと、サーバ１５は、選択された店舗における遊技機Ｍ１〜Ｍ１０の所定期間内の売上設定金額とそれら遊技機Ｍ１〜Ｍ１０の実際の売上金額とを比較し、売上設定金額に対する売上金額の売上比率が売上設定金額を基準として任意に設定された所定の売上設定比率を上回る遊技機Ｍ１〜Ｍ１０と売上比率が任意に設定された所定の売上設定比率を下回る遊技機Ｍ１〜Ｍ１０とを視覚によって判別し得るように間取図に表示されたそれら遊技機Ｍ１〜Ｍ１０を色分けする（色分け第２表示手段）。売上設定比率は、たとえば、売上設定金額の１２０％や１００％、９０％等自由に設定することができる。サーバ１５は、遊技機Ｍ１〜Ｍ１０を色分けした後、それら遊技機Ｍ１〜Ｍ１０を表示した間取図をクライアント端末１３，１４に送信する（図面送信手段）。
【００７２】
クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。図５の間取図画面には、店舗，日付表示エリア３０、フロア階表示エリア３１、設定表示エリア３２、色選択ボタン３３、期間設定ボタン３４、間取図表示エリア３５が表示されている。店舗，日付表示エリア３０には、選択した店舗名と日付とが表示されている。フロア階表示エリア３１には、フロア階（１階）が表示されている。
【００７３】
売上設定比率表示エリア３５には、４つのバー３６，３７，３８，３９によって３段階に区分された売上設定比率（％）が表示されている。最上に位置する第１バー３６は、売上設定比率の最高率である第１売上設定比率を示す。第１バー３６の上には、そのバー３６が示す設定比率（％）が表示されている。第１バー３６の直下に延びる第２バー３７は、最高率の次点の第２売上設定比率を示す。第２バー３７の上には、そのバー３７が示す設定比率（％）が表示されている。第２バー３７の直下に延びる第３バー３８は第２売上設定比率の次点の第３売上設定比率を示す。第３バー３８の上には、そのバー３８が示す設定比率（％）が表示されている。最下に位置する第４バー３９は売上設定比率の最低率である第４売上設定比率（０％）を示す。第４バー３９の上には、そのバー３９が示す設定比率（％）が表示されている。
【００７４】
第１バー３６と第２バー３７との間には第１スペース４０が画成され、第２バー３７と第３バー３８との間には第２スペース４１が画成されている。第３バー３８と第４バー３９との間には第３スペース４２が画成されている。第１スペース４０は、無彩色のうちの薄い灰色に着色されている。第１スペース４０の中には、店舗に設置された遊技機Ｍ１〜Ｍ１０のうち、第２バー２７が示す設定比率よりも多く、第１バー３６が示す設定比率よりも少ない売上比率（売上設定金額に対する売上金額の達成率）の遊技機の台数が表示されている。第２スペース４１は、無彩色のうちの第１スペース４０よりもわずかに濃い灰色に着色されている。第２スペース４１の中には、店舗に設置された遊技機Ｍ１〜Ｍ１０のうち、第３バー３８が示す設定比率よりも多く、第２バー３７が示す設定比率よりも少ない売上比率の遊技機の台数が表示されている。第３スペース４２は、無彩色のうちの第２スペース４１よりもわずかに濃い灰色に着色されている。第３スペース４２の中には、店舗に設置された遊技機Ｍ１〜Ｍ１０のうち、第４バー３９が示す設定比率よりも多く、第３バー３８が示す設定比率よりも少ない売上比率の遊技機の台数が表示されている。
【００７５】
なお、図２の設定表示エリア３２と同様に、設定表示エリア３２に表示されるバーの本数を自由に設定することができる。たとえば、バーの本数を３本にすると、第１バーと第２バーとの間に第１スペースが画成され、第２バーと第３バーとの間に第２スペースが画成される。第１スペースの中には、第２バーが示す設定比率よりも多く、第１バーが示す設定比率よりも少ない売上比率の遊技機の台数が表示され、第２スペースの中には、第３バーが示す設定比率よりも多く、第２バーが示す設定比率よりも少ない売上比率の遊技機の台数が表示される。
【００７６】
また、バーの本数を５本にすると、第１バーと第２バーとの間に第１スペースが画成され、第２バーと第３バーとの間に第２スペースが画成される。第３バーと第４バーとの間に第３スペースが画成され、第４バーと第５バーとの間に第４スペースが画成される。第１スペースの中には、第２バーが示す設定比率よりも多く、第１バーが示す設定比率よりも少ない売上比率の遊技機の台数が表示され、第２スペースの中には、第３バーが示す設定比率よりも多く、第２バーが示す設定比率よりも少ない売上比率の遊技機の台数が表示される。第３スペースの中には、第４バーが示す設定比率よりも多く、第３バーが示す設定比率よりも少ない売上比率の遊技機の台数が表示され、第４スペースの中には、第５バーが示す設定比率よりも多く、第４バーが示す設定比率よりも少ない売上比率の遊技機の台数が表示される。バーの本数を増加させることで、設定比率を細分化することができ、各遊技機Ｍ１〜Ｍ１０の売上設定金額に対する売上金額の達成状況を細かく管理することができる。
【００７７】
間取図表示エリア３５に表示されたそれら遊技機Ｍ１〜Ｍ１０は、設定表示エリア３２に表示された設定比率に対する売上比率によって異なる色に着色されている。具体的には、第１スペース４０に入る遊技機（第２バー３７が示す設定比率よりも多く、第１バー３６が示す設定比率よりも少ない売上比率の遊技機）が第１スペース４０の色と同一の色に着色され、第２スペース４１に入る遊技機（第３バー３８が示す設定比率よりも多く、第２バー３７が示す設定比率よりも少ない売上比率の遊技機）が第２スペース４１の色と同一の色に着色され、第３スペース４２に入る遊技機（第４バー３９が示す設定比率よりも多く、第３バー３８が示す設定比率よりも少ない売上比率の遊技機）が第３スペース４２の色と同一の色に着色されている。色選択ボタン３３による色変更手順は図２のそれと同一であるから、その説明は省略する。また、期間設定ボタン３４による期間の変更手順は図２のそれと同一であるから、その説明は省略する。
【００７８】
図５の間取図画面の設定表示エリア３２において、第１〜第４バー３６，３７，３８，３９に接続された第１〜第４移動ボタン４３，４４，４５，４６を上下に移動させることで、第１〜第４バー３６，３７，３８，３９のいずれかを上下に移動させることができる。第１〜第４バー３６，３７，３８，３９を上下に移動させることで、それらバー３６，３７，３８，３９によって示された各売上設定比率を変更することができる。図６では、図５の売上設定比率表示エリア３２に表示されたバー３６，３７，３８，３９と比較し、第２バー３７が下方に移動し、第３バー３８が上方に移動している。それによって、第１スペース４０が広がり、第２スペース４１が狭くなるとともに、第３スペース４２が広がる。
【００７９】
それらバー３７，３８の位置が変わると、サーバ１５は、第２バー３７が示す第２設定比率と遊技機Ｍ１〜Ｍ１０の売上比率とを比較し、変更された第２設定比率を基準としてそれら遊技機Ｍ１〜Ｍ１０の色分けを随時変更するとともに、第３バー３８が示す第３設定比率と遊技機Ｍ１〜Ｍ１０の売上比率とを比較し、変更された第３設定比率を基準としてそれら遊技機Ｍ１〜Ｍ１０の色分けを随時変更する（色分け第２表示手段）。
【００８０】
具体的には、第２バー３７が示す第２設定比率と遊技機Ｍ１〜Ｍ１０の売上比率（売上設定金額に対する売上金額の達成率）とを比較し、店舗に設置された遊技機Ｍ１〜Ｍ１０のうち、第１スペース４０に入る遊技機（第２バー３７が示す設定比率よりも多く、第１バー３６が示す設定比率よりも少ない売上比率の遊技機）を選択した後、その遊技機を第１スペース４０の色と同一の色に着色する。また、第２バー３７が示す第２設定比率と遊技機Ｍ１〜Ｍ１０の売上比率とを比較しつつ、第３バー３８が示す第３設定比率と遊技機Ｍ１〜Ｍ１０の売上比率とを比較し、第２スペース４１に入る遊技機（第３バー３８が示す設定比率よりも多く、第２バー３７が示す設定比率よりも少ない売上比率の遊技機）を選択した後、その遊技機を第２スペース４１の色と同一の色に着色する。さらに、第３バー３８が示す第３設定比率と遊技機Ｍ１〜Ｍ１０の売上比率とを比較し、第３スペース４２に入る遊技機（第４バー３９が示す設定比率よりも多く、第３バー３７が示す設定比率よりも少ない売上比率の遊技機）を選択した後、その遊技機を第３スペース４２の色と同一の色に着色する。
【００８１】
サーバ１５は、遊技機Ｍ１〜Ｍ１０の色を変更した後、それら遊技機Ｍ１〜Ｍ１０を表示した間取図をクライアント端末１３，１４に送信する（図面送信手段）。クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。
【００８２】
図５または図６の間取図画面の間取図表示エリア３５から、所定の遊技機Ｍ９（一点鎖線で囲まれた遊技機）を選択すると、その遊技機Ｍ９の識別情報（遊技機識別番号）がクライアント端末１３，１４からサーバ１５に送信される。サーバ１５は、特定の遊技機Ｍ９の識別情報を受信すると、その識別情報の遊技機Ｍ９の個別情報（指定期間、稼動日数、設定金額、売上金額、達成率）を抽出し、その個別情報をクライアント端末１３，１４に送信する。ディスプレイ１７の間取図表示エリア３５には、図７に示すように、選択した遊技機Ｍ９の指定期間（日）、指定期間における遊技機Ｍ９の稼動日数（日）、設定金額（千円）、指定期間における遊技機Ｍ１０の売上金額（千円）、設定金額に対する売上金額の達成率（％）が図表４８として表示される。
【００８３】
実績管理システム１０は、遊技機Ｍ１〜Ｍ１０の所定期間内の売上設定金額とそれら遊技機Ｍ１〜Ｍ１０の実際の売上金額とを比較し、売上設定金額に対する売上金額の売上比率が売上設定金額を基準として任意に設定される所定の売上設定比率を上回る遊技機Ｍ１〜Ｍ１０と売上比率が任意に設定される所定の売上設定比率を下回る遊技機Ｍ１〜Ｍ１０とを視覚によって判別し得るように間取図表示エリア３５に表示されたそれら遊技機Ｍ１〜Ｍ１０を色分けするから、アミューズメント施設１１，１２においてそこに設置された各遊技機Ｍ１〜Ｍ１０の設定売上に対する達成状況を視覚を通して速やかに確認することができ、所定のアミューズメント施設１１，１２における各遊技機Ｍ１〜Ｍ１０の成績を容易に把握することができる。実績管理システム１０は、間取図表示エリア３５に表示された各遊技機Ｍ１〜Ｍ１０の色（設定金額に対する売上金額の達成度）を参考に、アミューズメント施設１１，１２における遊技機Ｍ１〜Ｍ１０のレイアウトを検討しつつ、遊技機Ｍ１〜Ｍ１０の機種変更や遊技機Ｍ１〜Ｍ１０の配置変更を検討することができ、間取図画面を利用してアミューズメント施設１１，１２における遊技機Ｍ１〜Ｍ１０の実績向上を図ることができる。
【００８４】
実績管理システム１０は、クライアント端末１３，１４によって売上設定比率が変更されたときに、変更された売上設定比率を基準としてそれら遊技機Ｍ１〜Ｍ１０の色分けを随時変更するから、アミューズメント施設１１，１２毎に季節的要因や場所的要因、人員的要因、天候、物価、交通事情等の実績変動要素を考慮して遊技機Ｍ１〜Ｍ１０の売上設定比率を変更しなければならない場合があったとしても、クライアント端末１３，１４を介して売上設定比率を任意に増減することができ、各アミューズメント施設１１，１２の事情を勘案しつつそのアミューズメント施設１１，１２において売上比率に対する売上設定比率を自由に設定することができる。
【００８５】
実績管理システム１０は、売上設定比率を変更したときに、変更した売上設定比率を基準として遊技機Ｍ１〜Ｍ１０の色が変更されるから、変更された売上設定比率に対する各遊技機Ｍ１〜Ｍ１０の達成状況を視覚を通して容易に把握することができる。実績管理システム１０は、クライアント端末１３，１４が間取図表示エリア３５において各遊技機Ｍ１〜Ｍ１０を個別に選択したときに、選択された遊技機Ｍ１〜Ｍ１０の指定期間内における設定金額、遊技機Ｍ１〜Ｍ１０の指定期間内における売上金額、達成率を数値として間取図表示エリア３５に表示するから、間取図表示エリア３５に表示された遊技機Ｍ１〜Ｍ１０の色と数値とから各遊技機Ｍ１〜Ｍ１０の成績を一層具体的に把握することができる。
【００８６】
図８，９は、ディスプレイ１７に表示された間取図画面の他の一例を示す図であり、図１０は、遊技機Ｍ１〜Ｍ１０の個別実績図表が表示された間取図画面の図である。図８〜図１０の間取図画面には、色分け第３表示手段によって色分けされた遊技機Ｍ１〜Ｍ１０が表示されている。売上金額の集計や送信、格納は図２，３において説明したそれらと同一である。サーバ１５の実績データファイルには、施設情報（施設識別番号）や遊技機情報（遊技機識別番号）、遊技機Ｍ１〜Ｍ１０の過去から現在までの売上金額の他に、各店舗の遊技機Ｍ１〜Ｍ１０の前月設定比率が格納されている（前月設定比率記憶手段）。前月設定比率は、店舗情報によって各店舗毎に区分されている。前月設定比率は、クライアント端末１３，１４を介して自由に設定することができる。クライアント端末１３，１４の起動時における認証手続きは図２，３において説明したそれと同一である。なお、クライアント端末１３，１４では、初期画面から実績表示ボタンが選択され、さらに、対象店舗のプルダウンリストから対象店舗を選択され、対象店舗の選択が終了しているものとする。
【００８７】
ディスプレイ１７に表示された売上金額参照ボタン、売上比率参照ボタン、前月比率参照ボタン、前年同月比率参照ボタン、前年実績比率参照ボタンのうち、前月比率参照ボタンを押すと、サーバ１５は、選択された店舗における遊技機Ｍ１〜Ｍ１０の当月売上金額と前月売上金額とを比較し、前月売上金額に対する当月売上金額の前月比率が前月売上金額を基準として任意に設定された所定の前月設定比率を上回る遊技機Ｍ１〜Ｍ１０と前月比率が任意に設定された所定の前月設定比率を下回る遊技機Ｍ１〜Ｍ１０とを視覚によって判別し得るように間取図に表示されたそれら遊技機Ｍ１〜Ｍ１０を色分けする（色分け第３表示手段）。前月設定比率は、たとえば、前月売上金額の１２０％や１００％、９０％等自由に設定することができる。サーバ１５は、遊技機Ｍ１〜Ｍ１０を色分けした後、それら遊技機Ｍ１〜Ｍ１０を表示した間取図をクライアント端末１３，１４に送信する（図面送信手段）。
【００８８】
クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。図８の間取図画面には、店舗，日付表示エリア３０、フロア階表示エリア３１、設定表示エリア３２、色選択ボタン３３、間取図表示エリア３５が表示されている。店舗，日付表示エリア３０には、選択した店舗名と日付とが表示されている。フロア階表示エリア３１には、フロア階（１階）が表示されている。
【００８９】
設定表示エリア３２には、４つのバー３６，３７，３８，３９によって３段階に区分された前月設定比率（％）が表示されている。最上に位置する第１バー３６は、前月設定比率の最高率である第１前月設定比率を示す。第１バー３６の上には、そのバーが示す前月設定比率（％）が表示されている。第１バー３６の直下に延びる第２バー３７は、最高率の次点の第２前月設定比率を示す。第２バー３７の上には、そのバー３７が示す前月設定比率（％）が表示されている。第２バー３７の直下に延びる第３バー３８は、第２前月設定比率の次点の第３前月設定比率を示す。第３バー３８の上には、そのバー３８が示す前月設定比率（％）が表示されている。最下に位置する第４バー３９は、前月設定比率の最低率である第４前月設定比率（０％）を示す。第４バー３９の上には、そのバー３９が示す前月設定比率（％）が表示されている。
【００９０】
第１バー３６と第２バー３７との間には第１スペース４０が画成され、第２バー３７と第３バー３８との間には第２スペース４１が画成されている。第３バー３８と第４バー３９との間には第３スペース４２が画成されている。第１スペース４０は、無彩色のうちの薄い灰色に着色されている。第１スペース４０の中には、店舗に設置された遊技機Ｍ１〜Ｍ１０のうち、第２バー３７が示す前月設定比率よりも多く、第１バー３６が示す前月設定比率よりも少ない前月比率（前月売上金額に対する当月売上金額の前月比）の遊技機の台数が表示されている。第２スペース３７は、無彩色のうちの第１スペース３６よりもわずかに濃い灰色に着色されている。第２スペース３７の中には、店舗に設置された遊技機Ｍ１〜Ｍ１０のうち、第３バー３８が示す前月設定比率よりも多く、第２バー３７が示す前月設定比率よりも少ない前月比率の遊技機の台数が表示されている。第３スペース４２は、無彩色のうちの第２スペース４１よりもわずかに濃い灰色に着色されている。第３スペース４２の中には、店舗に設置された遊技機Ｍ１〜Ｍ１０のうち、第４バー３９が示す前月設定比率よりも多く、第３バー３８が示す前月設定比率よりも少ない前月比率の遊技機の台数が表示されている。
【００９１】
なお、図２の設定表示エリア３２と同様に、設定表示エリア３２に表示されるバーの本数を自由に設定することができる。たとえば、バーの本数を３本にすると、第１バーと第２バーとの間に第１スペースが画成され、第２バーと第３バーとの間に第２スペースが画成される。第１スペースの中には、第２バーが示す前月設定比率よりも多く、第１バーが示す前月設定比率よりも少ない前月比率の遊技機の台数が表示され、第２スペースの中には、第３バーが示す前月設定比率よりも多く、第２バーが示す前月設定比率よりも少ない前月比率の遊技機の台数が表示される。
【００９２】
また、バーの本数を５本にすると、第１バーと第２バーとの間に第１スペースが画成され、第２バーと第３バーとの間に第２スペースが画成される。第３バーと第４バーとの間に第３スペースが画成され、第４バーと第５バーとの間に第４スペースが画成される。第１スペースの中には、第２バーが示す前月設定比率よりも多く、第１バーが示す前月設定比率よりも少ない前月比率の遊技機の台数が表示され、第２スペースの中には、第３バーが示す前月設定比率よりも多く、第２バーが示す前月設定比率よりも少ない前月比率の遊技機の台数が表示される。第３スペースの中には、第４バーが示す前月設定比率よりも多く、第３バーが示す前月設定比率よりも少ない前月比率の遊技機の台数が表示され、第４スペースの中には、第５バーが示す前月設定比率よりも多く、第４バーが示す前月設定比率よりも少ない前月比率の遊技機の台数が表示される。バーの本数を増加させることで、前月設定比率を細分化することができ、各遊技機Ｍ１〜Ｍ１０の前月実績に対する当月実績の達成状況を細かく管理することができる。
【００９３】
間取図表示エリア３５に表示されたそれら遊技機Ｍ１〜Ｍ１０は、設定表示エリア３２に表示された前月設定比率に対する前月比率によって異なる色に着色されている。具体的には、第１スペース４０に入る遊技機（第２バー３７が示す前月設定比率よりも多く、第１バー３６が示す前月設定比率よりも少ない前月比率の遊技機）が第１スペース４０の色と同一の色に着色され、第２スペース４１に入る遊技機（第３バー３８が示す前月設定比率よりも多く、第２バー３７が示す前月設定比率よりも少ない前月比率の遊技機）が第２スペース４１の色と同一の色に着色され、第３スペース４２に入る遊技機（第４バー３９が示す前月設定比率よりも多く、第３バー３８が示す前月設定比率よりも少ない前月比率の遊技機）が第３スペース４２の色と同一の色に着色されている。色選択ボタン３３による色変更手順は図２のそれと同一であるから、その説明は省略する。
【００９４】
図８の間取図画面の設定表示エリア３２において、第１〜第４バー３６，３７，３８，３９に接続された第１〜第４移動ボタン４３，４４，４５，４６を上下に移動させることで、第１〜第４バー３６，３７，３８，３９のいずれかを上下に移動させることができる。第１〜第４バー３６，３７，３８，３９を上下に移動させることで、それらバー３６，３７，３８，３９によって示された各前月設定比率を変更することができる。図９では、図８の設定表示エリア３２に表示されたバー３６，３７，３８，３９と比較し、第２バー３７が下方に移動し、第３バー３８が上方に移動している。それによって、第１スペース４０が広がり、第２スペース４１が狭くなるとともに、第３スペース４２が広がる。
【００９５】
それらバー３６，３７，３８，３９の位置が変わると、サーバ１５は、第２バー３７が示す第２前月設定比率と遊技機Ｍ１〜Ｍ１０の前月比率とを比較し、変更された第２前月設定比率を基準としてそれら遊技機Ｍ１〜Ｍ１０の色分けを随時変更するとともに、第３バー３８が示す第３前月設定比率と遊技機Ｍ１〜Ｍ１０の前月比率とを比較し、変更された第３前月設定比率を基準としてそれら遊技機Ｍ１〜Ｍ１０の色分けを随時変更する（色分け第３表示手段）。
【００９６】
具体的には、第２バー２７が示す第２前月設定比率と遊技機Ｍ１〜Ｍ１０の前月比率（前月売上金額に対する当月売上金額の前月比）とを比較し、店舗に設置された遊技機Ｍ１〜Ｍ１０のうち、第１スペース４０に入る遊技機（第２バー３７が示す前月設定比率よりも多く、第１バー３６が示す前月設定比率よりも少ない前月比率の遊技機）を選択した後、その遊技機を第１スペース４０の色と同一の色に着色する。また、第２バー３７が示す第２前月設定比率と遊技機Ｍ１〜Ｍ１０の前月比率とを比較しつつ、第３バー３８が示す第３前月設定比率と遊技機Ｍ１〜Ｍ１０の前月比率とを比較し、第２スペース４１に入る遊技機（第３バー３８が示す前月設定比率よりも多く、第２バー３７が示す前月設定比率よりも少ない前月比率の遊技機）を選択した後、その遊技機を第２スペース４１の色と同一の色に着色する。さらに、第３バー３８が示す第３前月設定比率と遊技機Ｍ１〜Ｍ１０の前月比率とを比較し、第３スペース３８に入る遊技機（第４バー３９が示す前月設定比率よりも多く、第３バー３８が示す前月設定比率よりも少ない売上比率の遊技機）を選択した後、その遊技機を第３スペース４２の色と同一の色に着色する。
【００９７】
サーバ１５は、遊技機Ｍ１〜Ｍ１０の色を変更した後、それら遊技機Ｍ１〜Ｍ１０を表示した間取図をクライアント端末１３，１４に送信する（図面送信手段）。クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。
【００９８】
図８または図９の間取図画面の間取図表示エリア３５から、所定の遊技機Ｍ６（一点鎖線で示す遊技機）を選択すると、その遊技機Ｍ６の識別情報（遊技機識別番号）がクライアント端末１３，１４からサーバ１５に送信される。サーバ１５は、特定の遊技機Ｍ６の識別情報を受信すると、その識別情報の遊技機Ｍ６の個別情報（当月売上金額、当月稼動日数、前月売上金額、前月稼動日数、前月比）を抽出し、その個別情報をクライアント端末１３，１４に送信する。ディスプレイ１７の間取図表示エリア３５には、図１０に示すように、選択した遊技機Ｍ６の当月売上金額、遊技機Ｍ６の当月稼動日数、遊技機Ｍ６の前月売上金額、遊技機Ｍ６の前月稼動日数、前月売上金額に対する当月売上金額の前月比が図表４９として表示される。
【００９９】
実績管理システム１０は、遊技機Ｍ１〜Ｍ１０の当月売上金額と前月売上金額とを比較し、前月売上に対する当月売上の前月比率が前月売上を基準として任意に設定される所定の前月設定比率を上回る遊技機Ｍ１〜Ｍ１０と前月比率が所定の前月設定比率を下回る遊技機Ｍ１〜Ｍ１０とを視覚によって判別し得るように間取図表示エリア３５に表示されたそれら遊技機Ｍ１〜Ｍ１０を色分けするから、アミューズメント施設１１，１２においてそこに設置された各遊技機Ｍ１〜Ｍ１０の前月売上に対する当月売上の到達度を視覚を通して速やかに確認することができ、所定のアミューズメント施設１１，１２における各遊技機Ｍ１〜Ｍ１０の前月に対する成績を容易に把握することができる。実績管理システム１０は、間取図表示エリア３５に表示された各遊技機Ｍ１〜Ｍ１０の色（前月実績に対する当月実績の達成度）を参考に、アミューズメント施設１１，１２における遊技機Ｍ１〜Ｍ１０のレイアウトを検討しつつ、遊技機Ｍ１〜Ｍ１０の機種変更や遊技機Ｍ１〜Ｍ１０の配置変更を検討することができ、間取図画面を利用してアミューズメント施設１１，１２における遊技機Ｍ１〜Ｍ１０の実績向上を図ることができる。
【０１００】
実績管理システム１０は、クライアント端末１３，１４によって前月設定比率が変更されたときに、変更された前月設定比率を基準としてそれら遊技機Ｍ１〜Ｍ１０の色分けを随時変更するから、アミューズメント施設１１，１２毎に季節的要因や場所的要因、人員的要因、天候、物価、交通事情等の実績変動要素を考慮して遊技機の前月設定比率を変更しなければならない場合があったとしても、クライアント端末１３，１４を介して前月設定比率を任意に増減することができ、各アミューズメント施設１１，１２の事情を勘案しつつそのアミューズメント施設１１，１２において前月設定比率を自由に設定することができる。
【０１０１】
実績管理システム１０は、前月設定比率を変更したときに、変更した前月設定比率を基準として遊技機Ｍ１〜Ｍ１０の色が変更されるから、変更された前月設定比率に対する各遊技機Ｍ１〜Ｍ１０の達成状況を視覚を通して容易に把握することができる。実績管理システム１０は、クライアント端末１３，１４が間取図表示エリア３５において各遊技機Ｍ１〜Ｍ１０を個別に選択したときに、選択された遊技機Ｍ１〜Ｍ１０の当月売上金額、遊技機Ｍ１〜Ｍ１０の前月売上金額、前月比を数値として間取図表示エリア３５に表示するから、間取図表示エリア３５に表示された遊技機Ｍ１〜Ｍ１０の色と数値とから各遊技機Ｍ１〜Ｍ１０の成績を一層具体的に把握することができる。
【０１０２】
図１１，１２は、ディスプレイ１７に表示された間取図画面の他の一例を示す図であり、図１３は、遊技機Ｍ１〜Ｍ１０の個別実績図表が表示された間取図画面の図である。図１１〜図１３の間取図画面には、色分け第４表示手段によって色分けされた遊技機Ｍ１〜Ｍ１０が表示されている。売上金額の集計や送信、格納は図２，３において説明したそれらと同一である。サーバ１５の実績データファイルには、施設情報（施設識別番号）や遊技機情報（遊技機識別番号）、遊技機Ｍ１〜Ｍ１０の過去から現在までの売上金額の他に、各店舗の遊技機Ｍ１〜Ｍ１０の前年同月設定比率が格納されている（前年同月設定比率記憶手段）。前年同月設定比率は、店舗情報によって各店舗毎に区分されている。前年同月設定比率は、クライアント端末１３，１４を介して自由に設定することができる。クライアント端末１３，１４の起動時における認証手続きは図２，３において説明したそれと同一である。なお、クライアント端末１３，１４では、初期画面から実績表示ボタンが選択され、さらに、対象店舗のプルダウンリストから対象店舗を選択され、対象店舗の選択が終了しているものとする。
【０１０３】
ディスプレイ１７に表示された売上金額参照ボタン、売上比率参照ボタン、前月比率参照ボタン、前年同月比率参照ボタン、前年実績比率参照ボタンのうち、前年同月比率参照ボタンを押すと、サーバ１５は、選択された店舗における遊技機Ｍ１〜Ｍ１０の当月売上金額と前年同月売上金額とを比較し、前年同月売上金額に対する当月売上金額の前年同月比率が前年同月売上金額を基準として任意に設定された所定の前年同月設定比率を上回る遊技機Ｍ１〜Ｍ１０と前年同月比率が任意に設定された所定の前年同月設定比率を下回る遊技機Ｍ１〜Ｍ１０とを視覚によって判別し得るように間取図に表示されたそれら遊技機Ｍ１〜Ｍ１０を色分けする（色分け第４表示手段）。前年同月設定比率は、たとえば、前年同月売上金額の１２０％や１００％、９０％等自由に設定することができる。サーバ１５は、遊技機Ｍ１〜Ｍ１０を色分けした後、それら遊技機Ｍ１〜Ｍ１０を表示した間取図をクライアント端末１３，１４に送信する（図面送信手段）。
【０１０４】
クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。図１１の間取図画面には、店舗，日付表示エリア３０、フロア階表示エリア３１、設定表示エリア３２、色選択ボタン３３、間取図表示エリア３５が表示されている。店舗，日付表示エリア３０には、選択した店舗名と日付とが表示されている。フロア階表示エリア３１には、フロア階（１階）が表示されている。
【０１０５】
設定表示エリア３２には、４つのバー３６，３７，３８，３９によって３段階に区分された前年同月設定比率（％）が表示されている。最上に位置する第１バー３６は、前年同月設定比率の最高率である第１前年同月設定比率を示す。第１バー３６の上には、そのバー３６が示す前年同月設定比率（％）が表示されている。第１バー３６の直下に延びる第２バー３７は、最高率の次点の第２前年同月設定比率を示す。第２バー３７の上には、そのバー３７が示す前年同月設定比率（％）が表示されている。第２バー３７の直下に延びる第３バー３８は、第２前年同月設定比率の次点の第３前年同月設定比率を示す。第３バー３８の上には、そのバー３８が示す前年同月設定比率（％）が表示されている。最下に位置する第４バー３９は、前年同月設定比率の最低率である第４前年同月設定比率（０％）を示す。第４バー３９の上には、そのバー３９が示す前年同月設定比率（％）が表示されている。
【０１０６】
第１バー３６と第２バー３７との間には第１スペース４０が画成され、第２バー３７と第３バー３８との間には第２スペース４１が画成されている。第３バー３８と第４バー３９との間には第３スペース４２が画成されている。第１スペース４０は、無彩色のうちの薄い灰色に着色されている。第１スペース４０の中には、店舗に設置された遊技機Ｍ１〜Ｍ１０のうち、第２バー３７が示す前年同月設定比率よりも多く、第１バー３６が示す前年同月設定比率よりも少ない前年同月比率（前年同月売上金額に対する当月売上金額の前年同月比）の遊技機の台数が表示されている。第２スペース４１は、無彩色のうちの第１スペース４０よりもわずかに濃い灰色に着色されている。第２スペース４１の中には、店舗に設置された遊技機Ｍ１〜Ｍ１０のうち、第３バー３８が示す前年同月設定比率よりも多く、第２バー３７が示す前年同月設定比率よりも少ない前年同月比率の遊技機の台数が表示されている。第３スペース４２は、無彩色のうちの第２スペース４１よりもわずかに濃い灰色に着色されている。第３スペース４２の中には、店舗に設置された遊技機Ｍ１〜Ｍ１０のうち、第４バー３９が示す前年同月設定比率よりも多く、第３バー３８が示す前年同月設定比率よりも少ない前年同月比率の遊技機の台数が表示されている。
【０１０７】
なお、図２の設定表示エリア３２と同様に、設定表示エリア３２に表示されるバーの本数を自由に設定することができる。たとえば、バーの本数を３本にすると、第１バーと第２バーとの間に第１スペースが画成され、第２バーと第３バーとの間に第２スペースが画成される。第１スペースの中には、第２バーが示す前年同月設定比率よりも多く、第１バーが示す前年同月設定比率よりも少ない前年同月比率の遊技機の台数が表示され、第２スペースの中には、第３バーが示す前年同月設定比率よりも多く、第２バーが示す前年同月設定比率よりも少ない前年同月比率の遊技機の台数が表示される。
【０１０８】
また、バーの本数を５本にすると、第１バーと第２バーとの間に第１スペースが画成され、第２バーと第３バーとの間に第２スペースが画成される。第３バーと第４バーとの間に第３スペースが画成され、第４バーと第５バーとの間に第４スペースが画成される。第１スペースの中には、第２バーが示す前年同月設定比率よりも多く、第１バーが示す前年同月設定比率よりも少ない前年同月比率の遊技機の台数が表示され、第２スペースの中には、第３バーが示す前年同月設定比率よりも多く、第２バーが示す前年同月設定比率よりも少ない前年同月比率の遊技機の台数が表示される。第３スペースの中には、第４バーが示す前年同月設定比率よりも多く、第３バーが示す前年同月設定比率よりも少ない前年同月比率の遊技機の台数が表示され、第４スペースの中には、第５バーが示す前年同月設定比率よりも多く、第４バーが示す前年同月設定比率よりも少ない前年同月比率の遊技機の台数が表示される。バーの本数を増加させることで、前年同月設定比率を細分化することができ、各遊技機Ｍ１〜Ｍ１０の前年同月実績に対する当月実績の達成状況を細かく管理することができる。
【０１０９】
間取図表示エリア３５に表示されたそれら遊技機Ｍ１〜Ｍ１０は、設定表示エリア３２に表示された前年同月設定比率に対する前年同月比率によって異なる色に着色されている。具体的には、第１スペース４０に入る遊技機（第２バー３７が示す前年同月設定比率よりも多く、第１バー３６が示す前年同月設定比率よりも少ない前年同月比率の遊技機）が第１スペース４０の色と同一の色に着色され、第２スペース４１に入る遊技機（第３バー３８が示す前年同月設定比率よりも多く、第２バー３７が示す前年同月設定比率よりも少ない前年同月比率の遊技機）が第２スペース４１の色と同一の色に着色され、第３スペース４２に入る遊技機（第４バー３９が示す前年同月設定比率よりも多く、第３バー３８が示す前年同月設定比率よりも少ない前年同月比率の遊技機）が第３スペース４２の色と同一の色に着色されている。色選択ボタン３３による色変更手順は図２のそれと同一であるから、その説明は省略する。
【０１１０】
図１１の間取図画面の設定表示エリア３２において、第１〜第４バー３６，３７，３８，３９に接続された第１〜第４移動ボタン４３，４４，４５，４６を上下に移動させることで、第１〜第４バー３６，３７，３８，３９のいずれかを上下に移動させることができる。第１〜第４バー３６，３７，３８，３９を上下に移動させることで、それらバー３６，３７，３８，３９によって示された各前年同月設定比率を変更することができる。図１２では、図１１の設定表示エリア３２に表示されたバー３６，３７，３８，３９と比較し、第２バー３７が下方に移動し、第３バー３８が上方に移動している。それによって、第１スペース４０が広がり、第２スペース４１が狭くなるとともに、第３スペース４２が広がる。
【０１１１】
それらバー３７，３８の位置が変わると、サーバ１５は、第２バー３７が示す第２前年同月設定比率と遊技機Ｍ１〜Ｍ１０の前年同月比率とを比較し、変更された第２前年同月設定比率を基準としてそれら遊技機Ｍ１〜Ｍ１０の色分けを随時変更するとともに、第３バー３８が示す第３前年同月設定比率と遊技機Ｍ１〜Ｍ１０の前年同月比率とを比較し、変更された第３前年同月設定比率を基準としてそれら遊技機Ｍ１〜Ｍ１０の色分けを随時変更する（色分け第４表示手段）。
【０１１２】
具体的には、第２バー３７が示す第２前年同月設定比率と遊技機Ｍ１〜Ｍ１０の前年同月比率（前前年同月売上金額に対する当月売上金額の前年同月比）とを比較し、店舗に設置された遊技機Ｍ１〜Ｍ１０のうち、第１スペース４０に入る遊技機（第２バー３７が示す前年同月設定比率よりも多く、第１バー３６が示す前年同月設定比率よりも少ない前年同月比率の遊技機）を選択した後、その遊技機を第１スペース４０の色と同一の色に着色する。また、第２バー３７が示す第２前年同月設定比率と遊技機Ｍ１〜Ｍ１０の前年同月比率とを比較しつつ、第３バー３８が示す第３前年同月設定比率と遊技機Ｍ１〜Ｍ１０の前年同月比率とを比較し、第２スペース４１に入る遊技機（第３バー３８が示す前年同月設定比率よりも多く、第２バー３７が示す前年同月設定比率よりも少ない前年同月比率の遊技機）を選択した後、その遊技機を第２スペース４１の色と同一の色に着色する。さらに、第３バー３８が示す第３前年同月設定比率と遊技機Ｍ１〜Ｍ１０の前年同月比率とを比較し、第３スペース４２に入る遊技機（第４バー３９が示す前年同月設定比率よりも多く、第３バー３８が示す前年同月設定比率よりも少ない前年同月比率の遊技機）を選択した後、その遊技機を第３スペース４２の色と同一の色に着色する。
【０１１３】
サーバ１５は、遊技機Ｍ１〜Ｍ１０の色を変更した後、それら遊技機Ｍ１〜Ｍ１０を表示した間取図をクライアント端末１３，１４に送信する（図面送信手段）。クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。
【０１１４】
図１１または図１２の間取図画面の間取図表示エリア３５から、所定の遊技機Ｍ５（一点鎖線で囲まれた遊技機）を選択すると、その遊技機Ｍ５の識別情報（遊技機識別番号）がクライアント端末１３，１４からサーバ１５に送信される。サーバ１５は、特定の遊技機Ｍ５の識別情報を受信すると、その識別情報の遊技機Ｍ５の個別情報（当月売上金額、当月稼動日数、前年同月売上金額、前年同月稼動日数、前年同月比）を抽出し、その個別情報をクライアント端末１３，１４に送信する。ディスプレイ１７の間取図表示エリア３５には、図１３に示すように、選択した遊技機Ｍ５の当月売上金額、当月稼動日数、遊技機Ｍ５の前年同月売上金額、前年同月稼動日数、前年同月売上金額に対する当月売上金額の前年同月比が図表５０として表示される。
【０１１５】
実績管理システム１０は、遊技機Ｍ１〜Ｍ１０の当月売上金額と前年同月売上金額とを比較し、前年同月売上に対する当月売上の前年同月比率が前年同月売上を基準として任意に設定される所定の前年同月設定比率を上回る遊技機Ｍ１〜Ｍ１０と前年同月比率が所定の前年同月設定比率を下回る遊技機Ｍ１〜Ｍ１０とを視覚によって判別し得るように間取図表示エリア３５に表示されたそれら遊技機Ｍ１〜Ｍ１０を色分けするから、アミューズメント施設１１，１２においてそこに設置された各遊技機Ｍ１〜Ｍ１０の前年同月売上に対する当月売上の到達度を視覚を通して速やかに確認することができ、所定のアミューズメント施設における各遊技機Ｍ１〜Ｍ１０の前年同月に対する成績を容易に把握することができる。実績管理システム１０は、間取図表示エリア３５に表示された各遊技機Ｍ１〜Ｍ１０の色（前年同月実績に対する当月実績の達成度）を参考に、アミューズメント施設１１，１２における遊技機Ｍ１〜Ｍ１０のレイアウトを検討しつつ、遊技機Ｍ１〜Ｍ１０の機種変更や遊技機Ｍ１〜Ｍ１０の配置変更を検討することができ、間取図画面を利用してアミューズメント施設１１，１２における遊技機Ｍ１〜Ｍ１０の実績向上を図ることができる。
【０１１６】
実績管理システム１０は、クライアント端末１３，１４によって前年同月設定比率が変更されたときに、変更された前年同月設定比率を基準としてそれら遊技機Ｍ１〜Ｍ１０の色分けを随時変更するから、アミューズメント施設１１，１２毎に季節的要因や場所的要因、人員的要因、天候、物価、交通事情等の実績変動要素を考慮して遊技機の前年同月設定比率を変更しなければならない場合があったとしても、クライアント端末１３，１４を介して前年同月設定比率を任意に増減することができ、各アミューズメント施設１１，１２の事情を勘案しつつそのアミューズメント施設１１，１２において前年同月設定比率を自由に設定することができる。
【０１１７】
実績管理システム１０は、前年同月設定比率を変更したときに、変更した前年同月設定比率を基準として遊技機Ｍ１〜Ｍ１０の色が変更されるから、変更された前年同月設定比率に対する各遊技機Ｍ１〜Ｍ１０の達成状況を視覚を通して容易に把握することができる。実績管理システム１０は、クライアント端末１３，１４が間取図表示エリア３５において各遊技機Ｍ１〜Ｍ１０を個別に選択したときに、選択された遊技機Ｍ１〜Ｍ１０の当月売上金額、前年同月売上金額、前年同月比を間取図表示エリア３５に表示するから、間取図表示エリア３５に表示された遊技機Ｍ１〜Ｍ１０の色と数値とから各遊技機Ｍ１〜Ｍ１０の成績を一層具体的に把握することができる。
【０１１８】
図１４，１５は、ディスプレイ１７に表示された間取図画面の他の一例を示す図であり、図１６は、遊技機Ｍ１〜Ｍ１０の個別実績図表が表示された間取図画面の図である。図１４〜図１６の間取図画面には、色分け第５表示手段によって色分けされた遊技機Ｍ１〜Ｍ１０が表示されている。売上金額の集計や送信、格納は図２，３において説明したそれらと同一である。サーバ１５の実績データファイルには、施設情報（施設識別番号）や遊技機情報（遊技機識別番号）、遊技機Ｍ１〜Ｍ１０の過去から現在までの売上金額の他に、各店舗の遊技機Ｍ１〜Ｍ１０の前年実績設定比率が格納されている（前年実績設定比率記憶手段）。前年実績設定比率は、店舗情報によって各店舗毎に区分されている。前年実績設定比率は、クライアント端末１３，１４を介して自由に設定することができる。クライアント端末１３，１４の起動時における認証手続きは図２，３において説明したそれと同一である。なお、クライアント端末１３，１４では、初期画面から実績表示ボタンが選択され、さらに、対象店舗のプルダウンリストから対象店舗を選択され、対象店舗の選択が終了しているものとする。
【０１１９】
ディスプレイ１７に表示された売上金額参照ボタン、売上比率参照ボタン、前月比率参照ボタン、前年同月比率参照ボタン、前年実績比率参照ボタンのうち、前年実績比率参照ボタンを押すと、サーバ１５は、遊技機Ｍ１〜Ｍ１０の当年の所定期間における売上金額と前年の所定期間における売上金額とを比較し、前年の所定期間における売上金額に対する当年の所定期間における売上金額の前年実績比率が前年の所定期間における売上金額を基準として任意に設定された所定の前年実績設定比率を上回る遊技機Ｍ１〜Ｍ１０と前年実績比率が所定の前年実績設定比率を下回る遊技機Ｍ１〜Ｍ１０とを視覚によって判別し得るように間取図に表示されたそれら遊技機Ｍ１〜Ｍ１０を色分けする（色分け第５表示手段）。前年実績設定比率は、たとえば、前年の所定期間における売上金額の１２０％や１００％、９０％等自由に設定することができる。サーバ１５は、遊技機Ｍ１〜Ｍ１０を色分けした後、それら遊技機Ｍ１〜Ｍ１０を表示した間取図をクライアント端末１３，１４に送信する（図面送信手段）。
【０１２０】
クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。図１４の間取図画面には、店舗，日付表示エリア３０、フロア階表示エリア３１、前年設定表示エリア３２、色選択ボタン３３、期間設定エリア３４、間取図表示エリア３５が表示されている。店舗，日付表示エリア３０には、選択した店舗名と日付とが表示されている。フロア階表示エリア３１には、フロア階（１階）が表示されている。
【０１２１】
設定表示エリア３２には、４つのバー３６，３７，３８，３９によって３段階に区分された前年実績設定比率（％）が表示されている。最上に位置する第１バー３６は、前年実績設定比率の最高率である第１前年実績設定比率を示す。第１バー３６の上には、そのバー３６が示す前年実績設定比率（％）が表示されている。第１バー３６の直下に延びる第２バー３７は、最高率の次点の第２前年実績設定比率を示す。第２バー３７の上には、そのバー３７が示す前年実績設定比率（％）が表示されている。第２バー３７の直下に延びる第３バー３８は、第２前年実績設定比率の次点の第３前年実績設定比率を示す。第３バー３８の上には、そのバー３８が示す前年実績設定比率（％）が表示されている。最下に位置する第４バー３９は、前年実績設定比率の最低率である第４前年実績設定比率（０％）を示す。第４バー３９の上には、そのバー３９が示す前年実績設定比率（％）が表示されている。
【０１２２】
第１バー３６と第２バー３７との間には第１スペース４０が画成され、第２バー３７と第３バー３８との間には第２スペース４１が画成されている。第３バー３８と第４バー３９との間には第３スペース４２が画成されている。第１スペース４０は、無彩色のうちの薄い灰色に着色されている。第１スペース４０の中には、店舗に設置された遊技機Ｍ１〜Ｍ１０のうち、第２バー３７が示す前年実績設定比率よりも多く、第１バー３６が示す前年実績設定比率よりも少ない前年実績比率（前年の所定期間における売上金額に対する当年の所定期間における売上金額の前年実績比）の遊技機の台数が表示されている。第２スペース４１は、無彩色のうちの第１スペース４０よりもわずかに濃い灰色に着色されている。第２スペース４１の中には、店舗に設置された遊技機Ｍ１〜Ｍ１０のうち、第３バー３８が示す前年実績設定比率よりも多く、第２バー３７が示す前年実績設定比率よりも少ない前年実績比率の遊技機の台数が表示されている。第３スペース４２は、無彩色のうちの第２スペース４１よりもわずかに濃い灰色に着色されている。第３スペース４２の中には、店舗に設置された遊技機Ｍ１〜Ｍ１０のうち、第４バー３８が示す前年実績設定比率よりも多く、第３バー３８が示す前年実績設定比率よりも少ない前年実績比率の遊技機の台数が表示されている。
【０１２３】
なお、図２の設定表示エリア３２と同様に、設定表示エリア３２に表示されるバーの本数を自由に設定することができる。たとえば、バーの本数を３本にすると、第１バーと第２バーとの間に第１スペースが画成され、第２バーと第３バーとの間に第２スペースが画成される。第１スペースの中には、第２バーが示す前年実績設定比率よりも多く、第１バーが示す前年実績設定比率よりも少ない前年実績比率の遊技機の台数が表示され、第２スペースの中には、第３バーが示す前年実績設定比率よりも多く、第２バーが示す前年実績設定比率よりも少ない前年実績比率の遊技機の台数が表示される。
【０１２４】
また、バーの本数を５本にすると、第１バーと第２バーとの間に第１スペースが画成され、第２バーと第３バーとの間に第２スペースが画成される。第３バーと第４バーとの間に第３スペースが画成され、第４バーと第５バーとの間に第４スペースが画成される。第１スペースの中には、第２バーが示す前年実績設定比率よりも多く、第１バーが示す前年実績設定比率よりも少ない前年実績比率の遊技機の台数が表示され、第２スペースの中には、第３バーが示す前年実績設定比率よりも多く、第２バーが示す前年実績設定比率よりも少ない前年実績比率の遊技機の台数が表示される。第３スペースの中には、第４バーが示す前年実績設定比率よりも多く、第３バーが示す前年実績設定比率よりも少ない前年実績比率の遊技機の台数が表示され、第４スペースの中には、第５バーが示す前年実績設定比率よりも多く、第４バーが示す前年実績設定比率よりも少ない前年実績比率の遊技機の台数が表示される。バーの本数を増加させることで、前年実績設定比率を細分化することができ、各遊技機Ｍ１〜Ｍ１０の前年実績に対する当年実績の達成状況を細かく管理することができる。
【０１２５】
間取図表示エリア３５に表示されたそれら遊技機Ｍ１〜Ｍ１０は、設定表示エリア３２に表示された前年実績設定比率に対する前年実績比率によって異なる色に着色されている。具体的には、第１スペース４０に入る遊技機（第２バー３７が示す前年実績設定比率よりも多く、第１バー３６が示す前年実績設定比率よりも少ない前年実績比率の遊技機）が第１スペース４０の色と同一の色に着色され、第２スペース４１に入る遊技機（第３バー３８が示す前年実績設定比率よりも多く、第２バー３７が示す前年実績設定比率よりも少ない前年実績比率の遊技機）が第２スペース４１の色と同一の色に着色され、第３スペース４２に入る遊技機（第４バー３９が示す前年実績設定比率よりも多く、第３バー３８が示す前年実績設定比率よりも少ない前年実績比率の遊技機）が第３スペース４２の色と同一の色に着色されている。色選択ボタン３３による色変更手順と期間設定ボタン３４による期間変更手順とは図２のそれらと同一であるから、その説明は省略する。
【０１２６】
図１１の間取図画面の設定表示エリア３２において、第１〜第４バー３６，３７，３８，３９に接続された第１〜第４移動ボタン４３，４４，４５，４６を上下に移動させることで、第１〜第４バー３６，３７，３８，３９のいずれかを上下に移動させることができる。第１〜第４バー３６，３７，３８，３９を上下に移動させることで、それらバー３６，３７，３８，３９によって示された各前年実績設定比率を変更することができる。図１２では、図１１の設定表示エリア３２に表示されたバー３６，３７，３８，３９と比較し、第２バー３７が下方に移動し、第３バー３８が上方に移動している。それによって、第１スペース４０が広がり、第２スペース４１が狭くなるとともに、第３スペース４２が広がる。
【０１２７】
それらバー３７，３８の位置が変わると、サーバ１５は、第２バー３７が示す第２前年実績設定比率と遊技機Ｍ１〜Ｍ１０の前年実績比率とを比較し、変更された第２前年実績設定比率を基準としてそれら遊技機Ｍ１〜Ｍ１０の色分けを随時変更するとともに、第３バー３８が示す第３前年実績設定比率と遊技機Ｍ１〜Ｍ１０の比率とを比較し、変更された第３前年実績設定比率を基準としてそれら遊技機Ｍ１〜Ｍ１０の色分けを随時変更する（色分け第５表示手段）。
【０１２８】
具体的には、第２バー３７が示す第２前年実績設定比率と遊技機Ｍ１〜Ｍ１０の前年実績比率（前年の所定期間における売上金額に対する当年の所定期間における売上金額の前年実績比）とを比較し、店舗に設置された遊技機Ｍ１〜Ｍ１０のうち、第１スペース４０に入る遊技機（第２バー３７が示す前年実績設定比率よりも多く、第１バー３６が示す前年実績設定比率よりも少ない前年実績比率の遊技機）を選択した後、その遊技機を第１スペース４０の色と同一の色に着色する。また、第２バー３７が示す第２前年実績設定比率と遊技機Ｍ１〜Ｍ１０の前年実績比率とを比較しつつ、第３バー３８が示す第３前年実績設定比率と遊技機Ｍ１〜Ｍ１０の前年実績比率とを比較し、第２スペース４１に入る遊技機（第３バー３８が示す前年実績設定比率よりも多く、第２バー３７が示す前年実績設定比率よりも少ない前年実績比率の遊技機）を選択した後、その遊技機を第２スペース４１の色と同一の色に着色する。さらに、第３バー３８が示す第３前年実績設定比率と遊技機Ｍ１〜Ｍ１０の前年実績比率とを比較し、第３スペース４２に入る遊技機（第４バー３９が示す前年実績設定比率よりも多く、第３バー３８が示す前年実績設定比率よりも少ない前年実績比率の遊技機）を選択した後、その遊技機を第３スペース４２の色と同一の色に着色する。
【０１２９】
サーバ１５は、遊技機Ｍ１〜Ｍ１０の色を変更した後、それら遊技機Ｍ１〜Ｍ１０を表示した間取図をクライアント端末１３，１４に送信する（図面送信手段）。クライアント端末１３，１４は、受信した間取図をハードディスクに格納するとともに（図面記憶手段）、その間取図画面をディスプレイ１７に表示する（図面出力手段）。間取図画面は、プリンタから出力される（図面出力手段）。
【０１３０】
図１４または図１５の間取図画面の間取図表示エリア３５から、所定の遊技機Ｍ３（一点鎖線で囲まれた遊技機）を選択すると、その遊技機Ｍ３の識別情報（遊技機識別番号）がクライアント端末１３，１４からサーバ１５に送信される。サーバ１５は、特定の遊技機Ｍ３の識別情報を受信すると、その識別情報の遊技機Ｍ３の個別情報（当年の所定期間における売上金額、当年の所定期間における稼動日数、前年の所定期間における売上金額、前年の所定期間における稼動日数、前年実績比）を抽出し、その個別情報をクライアント端末１３，１４に送信する。ディスプレイ１７の間取図表示エリア３５には、図１３に示すように、選択した遊技機Ｍ３の当年の所定期間における売上金額、当年の所定期間における稼動日数、前年の所定期間における売上金額、前年の所定期間における稼動日数、前年の所定期間における売上金額に対する当年の所定期間における売上金額の前年実績比が図表５０として表示される。
【０１３１】
実績管理システム１０は、遊技機Ｍ１〜Ｍ１０の当年の所定期間における売上金額と前年の所定期間における売上金額とを比較し、前年の所定期間における売上金額に対する当年の所定期間における売上金額の前年実績比率が前年の所定期間における売上金額を基準として任意に設定される所定の前年実績設定比率を上回る遊技機Ｍ１〜Ｍ１０と前年実績比率が所定の前年実績設定比率を下回る遊技機Ｍ１〜Ｍ１０とを視覚によって判別し得るように間取図表示エリア３５に表示されたそれら遊技機Ｍ１〜Ｍ１０を色分けするから、アミューズメント施設１１，１２においてそこに設置された各遊技機Ｍ１〜Ｍ１０の前年の所定期間における売上金額に対する当年売上の到達度を視覚を通して速やかに確認することができ、所定のアミューズメント施設１１，１２における各遊技機Ｍ１〜Ｍ１０の前年の所定期間に対する成績を容易に把握することができる。実績管理システム１０は、間取図表示エリア３５に表示された各遊技機Ｍ１〜Ｍ１０の色（前年の所定期間における売上金額に対する当年の所定期間における売上金額の前年実績比）を参考に、アミューズメント施設１１，１２における遊技機Ｍ１〜Ｍ１０のレイアウトを検討しつつ、遊技機Ｍ１〜Ｍ１０の機種変更や遊技機Ｍ１〜Ｍ１０の配置変更を検討することができ、間取図画面を利用してアミューズメント施設１１，１２における遊技機Ｍ１〜Ｍ１０の実績向上を図ることができる。
【０１３２】
実績管理システム１０は、クライアント端末１３，１４によって前年実績設定比率が変更されたときに、変更された前年実績設定比率を基準としてそれら遊技機Ｍ１〜Ｍ１０の色分けを随時変更するから、アミューズメント施設１１，１２毎に季節的要因や場所的要因、人員的要因、天候、物価、交通事情等の実績変動要素を考慮して遊技機Ｍ１〜Ｍ１０の前年実績設定比率を変更しなければならない場合があったとしても、クライアント端末１３，１４を介して前年実績設定比率を任意に増減することができ、各アミューズメント施設１１，１２の事情を勘案しつつそのアミューズメント施設１１，１２において前年実績設定比率を自由に設定することができる。
【０１３３】
実績管理システム１０は、前年実績設定比率を変更したときに、変更した前年実績設定比率を基準として遊技機Ｍ１〜Ｍ１０の色が変更されるから、変更された前年実績設定比率に対する各遊技機Ｍ１〜Ｍ１０の達成状況を視覚を通して容易に把握することができる。実績管理システム１０は、クライアント端末１３，１４が間取図表示エリア３５において各遊技機Ｍ１〜Ｍ１０を個別に選択したときに、選択された遊技機Ｍ１〜Ｍ１０の当年の所定期間における売上金額、前年の所定期間における売上金額、前年実績比を間取図表示エリア３５に表示するから、間取図表示エリア３５に表示された遊技機Ｍ１〜Ｍ１０の色と数値とから各遊技機Ｍ１〜Ｍ１０の成績を一層具体的に把握することができる。
【図面の簡単な説明】
【０１３４】
【図１】一例として示す実績管理システムの構成図。
【図２】間取図画面の一例を示す図。
【図３】間取図画面の他の一例を示す図。
【図４】遊技機の個別実績図表が表示された間取図画面の図。
【図５】間取図画面の他の一例を示す図。
【図６】間取図画面の他の一例を示す図。
【図７】遊技機の個別実績図表が表示された間取図画面の図。
【図８】間取図画面の他の一例を示す図。
【図９】間取図画面の他の一例を示す図。
【図１０】遊技機の個別実績図表が表示された間取図画面の図。
【図１１】間取図画面の他の一例を示す図。
【図１２】間取図画面の他の一例を示す図。
【図１３】遊技機の個別実績図表が表示された間取図画面の図。
【図１４】間取図画面の他の一例を示す図。
【図１５】間取図画面の他の一例を示す図。
【図１６】遊技機の個別実績図表が表示された間取図画面の図。
【符号の説明】
【０１３５】
１０    実績管理システム
１１    アミューズメント施設
１２    アミューズメント施設
１３    施設端末装置（第１端末装置）
１４    施設端末装置（第１端末装置）
１５    実績管理サーバ
１６    インターネット
３２    設定表示エリア
３５    間取図表示エリア
Ｍ１〜Ｍ１０  遊技機
【図１】
0005036616.tif 000002
【図２】
0005036616.tif 000003
【図３】
0005036616.tif 000004
【図４】
0005036616.tif 000005
【図５】
0005036616.tif 000006
【図６】
0005036616.tif 000007
【図７】
0005036616.tif 000008
【図８】
0005036616.tif 000009
【図９】
0005036616.tif 000010
【図１０】
0005036616.tif 000011
【図１１】
0005036616.tif 000012
【図１２】
0005036616.tif 000013
【図１３】
0005036616.tif 000014
【図１４】
0005036616.tif 000015
【図１５】
0005036616.tif 000016
【図１６】
0005036616.tif 000017